(57)【要約】  本文は、受信したシグナリング情報および合意されたルールの少なくとも１つに基づき、測定参照信号に対応するポート情報を得ることと、前記ポート情報に基づいて前記測定参照信号を伝送することと、を含む、測定参照信号の伝送方法を開示した。本文は、シグナリング情報の送信方法および装置と、シグナリング情報の受信方法および装置と、上り参照信号の伝送方法と、測定参照信号の伝送装置と、電子装置と、記憶媒体と、をさらに開示した。【選択図】図１
2021508988.tif 000002
【特許請求の範囲】
【請求項１】
受信したシグナリング情報および合意されたルールの少なくとも１つに基づき、測定参照信号に対応するポート情報を得ることと、
前記測定参照信号に対応する時間領域直交カバーコードＯＣＣインデックスと、前記測定参照信号に対応する時間領域ＯＣＣの長さと、前記測定参照信号のポートインデックスと、の少なくとも１つを含む前記ポート情報に基づいて前記測定参照信号を伝送することと、
を含む、測定参照信号の伝送方法。
【請求項２】
前記ポート情報の特徴は、
異なる測定参照信号のポートインデックスは、異なる時間領域ＯＣＣに対応することと、
１つの測定参照信号リソースに含まれる測定参照信号ポートは、１つの時間領域ＯＣＣを共有することと、
１つの測定参照信号リソースは、１つの時間領域ＯＣＣに対応することと、
同じ数のポートを含む２つの測定参照信号リソースに対応する測定参照信号のポートインデックスが異なることと、の少なくとも１つを含む、請求項１に記載の測定参照信号の伝送方法。
【請求項３】
前記合意されたルールに基づき、測定参照信号に対応するポート情報を得ることは、
前記測定参照信号が所在する測定参照信号リソースの識別ＩＤに基づいて前記ポート情報を得ることと、
前記測定参照信号が所在する測定参照信号リソースセットのＩＤに基づいて前記ポート情報を得ることと、
前記測定参照信号が所在する測定参照信号リソースセットの設定情報に基づいて前記ポート情報を得ることと、
前記測定参照信号を伝送する通信ノードの識別情報に基づいて前記ポート情報を得ることと、
復調参照信号を生成するためのパラメータに基づいて前記ポート情報を得ることと、
の少なくとも１つを含み、
１つの測定参照信号リソースセットは、１つまたは複数の測定参照信号リソースを含み、１つの測定参照信号リソースは、１つまたは複数の測定参照信号ポートを含む、請求項１に記載の測定参照信号の伝送方法。
【請求項４】
前記合意されたルールに基づき、測定参照信号に対応するポート情報を得ることは、
前記測定参照信号が所在するタイムユニットに含まれる時間領域シンボルの数Ｎと、正の整数Ｍと、前記測定参照信号が１つのタイムユニットで占有する時間領域シンボルの数Ｌと、前記測定参照信号が所在する時間領域シンボルが１つのタイムユニットに含まれるＮ個の時間領域シンボルにおけるインデックス情報ｌ２と、前記測定参照信号が所在する時間領域シンボルがプリセットのＭ個の時間領域シンボルにおけるインデックス情報ｌ１と、前記測定参照信号が前記Ｌ個の時間領域シンボルにおけるインデックス情報ｌ０と、前記測定参照信号が所在するフレームのフレーム番号と、前記測定参照信号が所在するフレームに含まれるタイムユニットの数Ｂと、前記測定参照信号が所在する帯域幅パートＢＷＰのサブキャリア間隔に基づいて得られたタイムユニットインデックスと、長さＤのランダムシーケンスと、仮想セル番号
【数１】
2021508988.tif 000220
と、前記測定参照信号に対応する周波数領域繰返し送信パラメータＲと、測定参照信号に対応するシーケンス繰返しパラメータＲ５と、の少なくとも１つの情報に基づいて前記測定参照信号に対応するポート情報を得ること、を含み、
前記Ｂと、前記Ｄと、前記Ｌと、前記Ｎと、前記Ｍと、前記Ｌとは、いずれも正の整数であり、
前記Ｍは、Ａ以上且つ前記Ｎ以下であり、前記Ａは、前記測定参照信号が１つのタイムユニットで占有することが許される時間領域シンボルの最大数であり、または、前記測定参照信号が１つのタイムユニットで占有する時間領域シンボルの数である条件を満たし、
前記周波数領域繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、前記Ｒと前記Ｒ５はいずれも正の整数である、請求項１に記載の測定参照信号の伝送方法。
【請求項５】
前記受信したシグナリング情報に基づき、測定参照信号に対応するポート情報を得ることは、
前記測定参照信号のポートインデックスは、前記受信したシグナリング情報に含まれることと、
前記測定参照信号に対応する時間領域ＯＣＣインデックスは、前記受信したシグナリング情報に含まれることと、
前記測定参照信号に対応する時間領域ＯＣＣの長さは、前記受信したシグナリング情報に含まれることと、
前記測定参照信号のポート情報は、前記測定参照信号が所在する測定参照信号リソースセットの設定情報に含まれることと、の少なくとも１つを含む、請求項１に記載の測定参照信号の伝送方法。
【請求項６】
前記時間領域ＯＣＣの長さは、
前記測定参照信号に対応する時間領域ＯＣＣの長さは、前記測定参照信号に対応する周波数領域繰返し送信パラメータＲ以下であることと、
前記測定参照信号に対応する時間領域ＯＣＣの長さは、前記測定参照信号のシーケンス繰返しパラメータＲ５以下であることと、
前記時間領域ＯＣＣの長さは、長さ１を含むことと、
前記時間領域ＯＣＣの長さと、前記測定参照信号のシーケンスパラメータとの間に関連があることと、
前記時間領域ＯＣＣの長さと、前記測定参照信号のシーケンスホッピングユニットに含まれる時間領域シンボルの数との間に関連があることと、
前記時間領域ＯＣＣの長さと、前記測定参照信号シーケンスと時間領域シンボルとの間の関係である第１関係との間に関連があることと、の少なくとも１つを含み、
前記周波数領域繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、前記Ｒと前記Ｒ５はいずれも正の整数である、請求項１または５に記載の測定参照信号の伝送方法。
【請求項７】
前記時間領域ＯＣＣの長さと、前記測定参照信号のシーケンスパラメータとの間に関連があり、前記関連は、
前記時間領域ＯＣＣの長さが１より大きい場合、１つの測定参照信号ポートがＲ１個の時間領域シンボルにおいて対応するシーケンスは同じであることと、
前記時間領域ＯＣＣの長さが１より大きい場合、１つの測定参照信号ポートがＲ１個の時間領域シンボルにおいて同じシーケンスグループ番号に対応することと、
前記時間領域ＯＣＣの長さが１より大きい場合、１つの測定参照信号ポートがＲ１個の時間領域シンボルにおいて同じシーケンス番号に対応することと、
１つの測定参照信号ポートがＲ１時間領域シンボルにおいて対応するシーケンスが異なる場合、前記測定参照信号ポートに対応する時間領域ＯＣＣの長さは１であることと、
１つの測定参照信号ポートがＲ１時間領域シンボルにおいて対応するシーケンスパラメータが異なる場合、前記測定参照信号ポートに対応する時間領域ＯＣＣの長さは１であることと、の少なくとも１つを含み、
前記Ｒ１は、前記Ｒ１は前記Ｒ以下であることと、前記Ｒ１は前記時間領域ＯＣＣの長さであることと、前記Ｒ１はＮ以下であり、前記Ｒ１個の時間領域シンボルに前記測定参照信号が含まれることと、の少なくとも１つの特徴を満たし、
前記Ｎは、１つのタイムユニットにおいて前記１つの測定参照信号ポートに含まれる時間領域シンボルの数であり、前記Ｒ１と前記Ｎはいずれも正の整数である、請求項６に記載の測定参照信号の伝送方法。
【請求項８】
前記時間領域ＯＣＣのセットと、前記測定参照信号のシーケンスとの間に関連がある、請求項１に記載の測定参照信号の伝送方法。
【請求項９】
前記時間領域ＯＣＣのセットと、前記測定参照信号のシーケンスとの間の関連は、
異なる時間領域ＯＣＣセットは、異なる前記測定参照信号のシーケンス生成モードに対応することと、
異なる前記測定参照信号のシーケンス生成モードは、異なる時間領域ＯＣＣセットに対応することと、の少なくとも１つを含み、
前記測定参照信号に対応するシーケンス生成モードは、
１つの測定参照信号ポートがＲ１個の時間領域シンボルにおいて対応するシーケンスは同じであることと、
１つの測定参照信号ポートがＲ１個の時間領域シンボルにおいて対応するシーケンスは異なることと、
１つの測定参照信号ポートがＲ１個の時間領域シンボルにおいて対応するシーケンスパラメータは同じであることと、
１つの測定参照信号ポートがＲ１個の時間領域シンボルにおいて対応するシーケンスパラメータは異なることと、
同じサブキャリアの前記時間領域ＯＣＣコードに対応する時間領域シンボルにおいて前記測定参照信号に対応するシンボルは同じであることと、
同じサブキャリアの前記時間領域ＯＣＣコードに対応する時間領域シンボルにおいて前記測定参照信号に対応するシンボルは異なることと、の少なくとも１つを含み、
前記Ｒ１は正の整数であり、前記Ｒ１は、前記Ｒ１はＲ以下であることと、前記Ｒ１は前記時間領域ＯＣＣの長さであることと、前記Ｒ１はＮ以下であり、前記Ｒ１個の時間領域シンボルに前記測定参照信号が含まれることと、の少なくとも１つの特徴を満たし、
前記Ｎは、１つのタイムユニットにおいて前記１つの測定参照信号ポートに含まれる時間領域シンボルの数であり、前記Ｒは、周波数領域繰返し送信パラメータであり、前記測定参照信号がＲ個の時間領域シンボルごとに周波数領域で１回ホッピングすることを表し、前記Ｒ個の時間領域シンボルにはいずれも前記測定参照信号が含まれ、前記Ｒは正の整数である、請求項８に記載の測定参照信号の伝送方法。
【請求項１０】
前記ポート情報に基づいて前記測定参照信号を伝送することは、
前記測定参照信号に対応する時間領域ＯＣＣの長さは１より大きく、または前記測定参照信号に対応する時間領域ＯＣＣは所定の時間領域ＯＣＣセットに属さず、または前記測定参照信号は少なくとも２つの異なる時間領域ＯＣＣに対応する場合、位相トラッキング参照信号ＰＴＲＳと前記測定参照信号の少なくとも１つの伝送が許されないことと、
測定参照信号の時間領域ＯＣＣの長さと、ＰＴＲＳを送信するか否かとは、関連があることと、
測定参照信号の時間領域ＯＣＣが有効であるか否かと、ＰＴＲＳを送信するか否かとは、関連があることと、
測定参照信号の時間領域ＯＣＣのセットと、ＰＴＲＳを送信するか否かとは、関連があることと、の少なくとも１つを含む、請求項１に記載の測定参照信号の伝送方法。
【請求項１１】
シーケンスパラメータと時間領域シンボルとの間の対応関係情報と、時間領域シンボルセットに対応する時間領域直交カバーコードＯＣＣと、の少なくとも１つを含むシグナリング情報を送信すること、を含む、シグナリング情報の送信方法。
【請求項１２】
前記シーケンスパラメータと時間領域シンボルとの間の対応関係情報は、
シーケンスパラメータは、Ｒ２個の時間領域シンボルにおいて、変更があるか否かについての情報と、
シーケンスは、Ｒ２個の時間領域シンボルにおいて、変更があるか否かについての情報と、
シーケンスは、Ｒ３個の時間領域シンボルごとに１回ホッピングすることと、
シーケンスパラメータは、Ｒ３個の時間領域シンボルごとに１回ホッピングすることと、の少なくとも１つを含み、
前記Ｒ２と前記Ｒ３は整数である、請求項１１に記載のシグナリング情報の送信方法。
【請求項１３】
前記Ｒ２または前記Ｒ３は、
周波数領域繰返し送信パラメータＲ以下であることと、
チャネルまたは信号に対応する時間領域ＯＣＣの長さ以下であることと、
１つのタイムユニットにおいて前記シグナリング情報に対応するチャネルまたは信号に含まれる時間領域シンボルの数であるＮ以下であることと、
前記Ｒ２個の時間領域シンボルにはいずれも前記チャネルまたは前記信号が含まれることと、
前記Ｒ３個の時間領域シンボルにはいずれも前記チャネルまたは前記信号が含まれることと、の少なくとも１つを含み、
前記周波数領域繰返し送信パラメータＲは、前記測定参照信号がＲ個の時間領域シンボルごとに周波数領域で１回ホッピングすることを表し、前記Ｒ個の時間領域シンボルには前記測定参照信号が含まれ、前記Ｒは正の整数である、請求項１２に記載のシグナリング情報の送信方法。
【請求項１４】
前記シグナリング情報は、時間領域シンボルセットに対応する時間領域ＯＣＣを含む場合、前記シグナリング情報の送信方法は、
前記時間領域シンボルセットの時間領域シンボルで伝送するシンボルに、前記時間領域ＯＣＣを乗算してから、チャネルまたは信号で伝送し、または、
前記時間領域シンボルセット内の複数の時間領域シンボルで伝送するシンボルが同じである場合、前記シンボルに、前記時間領域シンボルＯＣＣを乗算してから、チャネルまたは信号で伝送すること、をさらに含む、請求項１１に記載のシグナリング情報の送信方法。
【請求項１５】
シグナリング情報を受信することと、
前記シグナリング情報に基づき、シーケンスパラメータと時間領域シンボルとの間の対応関係情報と、時間領域シンボルセットに対応する時間領域直交カバーコードＯＣＣと、の少なくとも１つを決定することと、を含む、シグナリング情報の受信方法。
【請求項１６】
測定参照信号に対応するコードフィールド情報を決定することと、
決定された前記コードフィールド情報を採用して前記測定参照信号を送信することと、を含み、
前記コードフィールド情報は、時間領域直交カバーコードＯＣＣインデックスと、シーケンスパラメータと、ポートインデックスと、の少なくとも１つを含み、前記シーケンスパラメータはシーケンスを生成することに用いられ、前記コードフィールド情報はＦ個の時間領域シンボルごとに１回ホッピングし、前記Ｆは正の整数である、測定参照信号の伝送方法。
【請求項１７】
測定参照信号に対応するコードフィールド情報を決定することは、
第１情報に基づいて前記測定参照信号のコードフィールド情報を取得すること、を含み、
前記第１情報は、
前記測定参照信号が所在する測定参照信号リソースの識別ＩＤと、前記測定参照信号が所在するタイムユニットに含まれる時間領域シンボルの数Ｎと、正の整数Ｍと、前記測定参照信号が１つのタイムユニットで占有する時間領域シンボルの数Ｌと、前記測定参照信号が所在する時間領域シンボルが１つのタイムユニットに含まれるＮ個の時間領域シンボルにおけるインデックス情報ｌ２と、前記測定参照信号が所在する時間領域シンボルがプリセットのＭ個の時間領域シンボルにおけるインデックス情報ｌ１と、前記測定参照信号が前記Ｌ個の時間領域シンボルにおけるインデックス情報ｌ０と、前記測定参照信号が所在するフレームのフレーム番号と、前記測定参照信号が所在するフレームに含まれるタイムユニットの数Ｂと、前記測定参照信号が所在する帯域幅パートＢＷＰのサブキャリア間隔に基づいて得られたタイムユニットインデックスと、長さＤのランダムシーケンスと、仮想セル番号
【数２】
2021508988.tif 000221
と、前記測定参照信号に対応する周波数領域繰返し送信パラメータＲと、前記測定参照信号に対応するシーケンス繰返しパラメータＲ５と、前記Ｆと、の少なくとも１つを含み、
前記Ｂと、前記Ｄと、前記Ｌと、前記Ｎと、前記Ｍと、前記Ｌとは、いずれも整数であり、
前記Ｍは、Ａ以上且つ前記Ｎ以下であり、前記Ａは、前記測定参照信号が１つのタイムユニットで占有することが許される時間領域シンボルの最大数であり、または、前記測定参照信号が１つのタイムユニットで占有する時間領域シンボルの数である条件を満たし、
前記周波数領域繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、前記Ｆ個時間領域シンボルには、前記測定参照信号が含まれ、
前記Ｒと前記Ｒ５はいずれも正の整数である、請求項１６に記載の測定参照信号の伝送方法。
【請求項１８】
前記測定参照信号の時間領域ＯＣＣインデックスまたはポートインデックスは、
【数３】
2021508988.tif 000222
と、
【数４】
2021508988.tif 000223
と、の１つの式で取得し、
ただし、前記ｇ（Ｘ）はＸに関する関数であり、前記Ｘは前記第１情報を含み、
前記Ｐｏｒｔｉｎｄｅｘは、前記測定参照信号のポートインデックスを表し、または前記測定参照信号の時間領域ＯＣＣインデックスであり、
前記Ｔは、時間領域ＯＣＣの長さと、測定参照信号の利用可能な時間領域ＯＣＣの総数と、測定参照信号のポートインデックスの総数と、の１つの情報であり、
前記ｃ（ｚ）は、１つのランダム化されたシーケンスのｚ番目の値を表し、前記ｚは正の整数であり、
前記
【数５】
2021508988.tif 000224
は、合意された値であり、または前記ｗ０は、受信したシグナリング情報に含まれ、
前記Ｄ１は、１以上の整数であり、
前記Ｆは前記Ｒに等しく、または前記Ｆは前記Ｒ５に等しく、または前記Ｆは前記Ｒと前記Ｒ５のうちの最小値に等しい、請求項１７に記載の測定参照信号の伝送方法。
【請求項１９】
前記測定参照信号のシーケンスパラメータは、シーケンスグループ番号と、シーケンス番号と、循環シフト
【数６】
2021508988.tif 000225
と、の少なくとも１つのパラメータを含み、
前記循環シフト
【数７】
2021508988.tif 000226
は、
【数８】
2021508988.tif 000227
と、
【数９】
2021508988.tif 000228
と、の１つの式で取得し、
前記シーケンスグループ番号ｕは、
【数１０】
2021508988.tif 000229
と、
【数１１】
2021508988.tif 000230
と、の１つの式で取得し、
前記シーケンス番号ｖは、
【数１２】
2021508988.tif 000231
と、
【数１３】
2021508988.tif 000232
と、の１つの式で取得し、
ただし、前記ｇ（Ｘ）はＸに関する関数であり、前記Ｘは前記第１情報を含み、
前記
【数１４】
2021508988.tif 000233
は、１つの測定参照信号リソースに含まれる測定参照信号のポート数であり、
前記
【数１５】
2021508988.tif 000234
は、合意された値であり、前記
【数１６】
2021508988.tif 000235
であり、前記ｃ（ｚ）は、１つのランダム化されたシーケンスのｚ番目の値を表し、前記ｚは正の整数であり、
前記
【数１７】
2021508988.tif 000236
は、所定の値であり、または前記
【数１８】
2021508988.tif 000237
は、受信したシグナリング情報に含まれ、
前記Ｄ２と前記Ｄ３は、いずれも１以上の整数であり、
前記Ｃは、シーケンスグループの総数であり、
前記ｆｓｓは、合意されたルールと、受信したシグナリング情報と、の少なくとも１つに含まれるパラメータに基づいて取得したものであり、
前記Ｆは前記Ｒに等しく、または前記Ｆは前記Ｒ５に等しく、または前記Ｆは前記Ｒと前記Ｒ５のうちの最小値に等しい、請求項１７に記載の測定参照信号の伝送方法。
【請求項２０】
前記ｇ（Ｘ）は、
【数１９】
2021508988.tif 000238
と、
【数２０】
2021508988.tif 000239
と、
【数２１】
2021508988.tif 000240
と、
【数２２】
2021508988.tif 000241
と、
【数２３】
2021508988.tif 000242
と、
【数２４】
2021508988.tif 000243
と、
【数２５】
2021508988.tif 000244
と、
【数２６】
2021508988.tif 000245
と、
【数２７】
2021508988.tif 000246
と、
【数２８】
2021508988.tif 000247
と、
【数２９】
2021508988.tif 000248
と、
【数３０】
2021508988.tif 000249
と、の１つの式であり、
ただし、前記
【数３１】
2021508988.tif 000250
であり、または
【数３２】
2021508988.tif 000251
であり、前記ｎｆは、前記参照信号が所在するフレームのフレーム番号であり、前記ｎｓはタイムユニットインデックスであり、前記Ｅは、所定の値であり、
前記Ｆは前記Ｒに等しく、または前記Ｆは前記Ｒ５に等しく、または前記Ｆは前記Ｒと前記Ｒ５のうちの最小値に等しい、請求項１８または１９に記載の測定参照信号の伝送方法。
【請求項２１】
所定の制約条件に基づいて測定参照信号のパラメータを決定することと、
前記測定参照信号のパラメータを採用し、前記測定参照信号を伝送することと、
を含む、測定参照信号の伝送方法。
【請求項２２】
前記測定参照信号のパラメータは、第１パラメータセットと、前記第１パラメータセットおよび前記制約条件に基づいて決定される第２パラメータセットと、を含む、請求項２１に記載の測定参照信号の伝送方法。
【請求項２３】
前記測定参照信号のパラメータは、
前記第１パラメータセットは、受信したシグナリング情報に含まれることと、
前記第２パラメータセットは、受信したシグナリング情報に含まれないことと、
前記第２パラメータセットには、前記測定参照信号が１つの時間領域シンボルで占有する帯域幅レベル情報が含まれることと、
前記第１パラメータセットと前記第２パラメータセットとの間のインターセクションは空であることと、
前記第１パラメータセットと前記第２パラメータセットのうちの少なくとも１つは、マルチレベル帯域幅構造インデックスと、前記測定参照信号が１つの時間領域シンボルで占有する帯域幅レベル情報と、前記測定参照信号の周波数ホッピング帯域幅レベル情報と、前記測定参照信号が１つのタイムユニットで占有する時間領域シンボル数情報と、前記測定参照信号の周波数領域繰返し送信パラメータと、前記測定参照信号のシーケンス繰返しパラメータと、の少なくとも１つを含むことと、の少なくとも１つを含む、請求項２２に記載の測定参照信号の伝送方法。
【請求項２４】
前記制約条件は、
前記測定参照信号が１つのタイムユニットで占有する周波数領域リソースは連続的であることと、
前記測定参照信号が１つのタイムユニットで占有する周波数領域サブキャリアは、前記測定参照信号が１つのタイムユニットで占有する周波数領域リソースにおいて均等に分散されることと、
前記測定参照信号が１つのタイムユニットで占有する周波数領域リソースは１つの周波数ホッピング帯域幅であることと、
前記測定参照信号が１つのタイムユニットで占有する周波数領域リソースは１つの帯域幅パートＢＷＰであることと、
前記測定参照信号が１つのタイムユニットで占有する周波数領域リソースはマルチレベル帯域幅構造における最大帯域幅であることと、
前記測定参照信号の周波数ホッピング帯域幅レベルは、合意された値であることと、
前記測定参照信号のパラメータは、
【数３３】
2021508988.tif 000252
の式を満たすことと、
前記測定参照信号のパラメータは、
【数３４】
2021508988.tif 000253
の式を満たすことと、の少なくとも１つの条件であり、
前記ｂは、マルチレベル帯域幅構造における帯域幅レベル情報であり、前記ｂｈｏｐＡは、周波数ホッピング帯域幅レベルセットであり、前記Ｎｓは、前記測定参照信号が１つのタイムユニットで占有する時間領域シンボルの数であり、前記Ｒは、前記測定参照信号の周波数領域繰返し送信パラメータであり、前記マルチレベル帯域幅構造には、複数の帯域幅レベルが含まれ、第ｂ−１レベル帯域幅の１つの帯域幅は、第ｂレベル帯域幅のＮｂ個の帯域幅を含み、前記測定参照信号が前記周波数ホッピング帯域幅レベルセットのうちの１つの周波数ホッピング帯域幅レベルにおいて占有する帯域幅のインデックスは、時間とともに変化し、前記ｂｈｏｐと前記ＢＳＲＳのうちの少なくとも１つは、所定の値であり、または、前記ｂｈｏｐと前記ＢＳＲＳのうちの少なくとも１つは、受信したシグナリング情報に含まれ、前記ｂｈｏｐと前記ＢＳＲＳは、０以上の整数である、請求項２１に記載の測定参照信号の伝送方法。
【請求項２５】
前記周波数ホッピング帯域幅レベルセットが
【数３５】
2021508988.tif 000254
である場合、前記制限条件は、
前記測定参照信号のパラメータは、
【数３６】
2021508988.tif 000255
の式を満たすことであり、
前記ｂｈｏｐは、所定の値であり、または前記ｂｈｏｐは、受信したシグナリング情報に含まれる、請求項２４に記載の測定参照信号の伝送方法。
【請求項２６】
第１通信ノードが前記測定参照信号を伝送する通信ノードである場合、前記測定参照信号のパラメータを採用し、前記測定参照信号を伝送する前に、
前記第１通信ノードは、前記合意された条件を満たさない測定参照信号のパラメータ設定を受信することを望まないことと、
前記第１通信ノードが前記合意された条件を満たさない測定参照信号のパラメータ設定を受信した場合、前記第１通信ノードは前記測定参照信号を伝送しないことと、
前記第１通信ノードが前記合意された条件を満たさない測定参照信号のパラメータ設定を受信した場合、前記第１通信ノードは所定の指示情報を送信することと、の少なくとも１つをさらに含む、請求項２１に記載の測定参照信号の伝送方法。
【請求項２７】
上り参照信号を伝送することを含み、
前記上り参照信号が時間領域直交カバーコードＯＣＣを採用する場合、前記上り参照信号は、
前記上り参照信号に対応する時間領域ＯＣＣの長さは、前記上り参照信号に対応する周波数領域繰返し送信パラメータＲ以下であり、前記周波数領域繰返し送信パラメータＲは、前記上り参照信号の周波数領域ホッピングの単位に含まれる時間領域シンボルの数であることと、
前記上り参照信号に対応する時間領域ＯＣＣの長さは、前記上り参照信号のシーケンス繰返しパラメータＲ５以下であることと、
前記時間領域ＯＣＣの長さと、前記上り参照信号のシーケンスパラメータとの間に関連があることと、
前記Ｒと前記Ｒ５はいずれも正の整数であることと、の少なくとも１つを満たす、上り参照信号の伝送方法。
【請求項２８】
前記時間領域ＯＣＣの長さと、前記上り参照信号のシーケンスパラメータとの間に関連があり、前記関連は、
前記時間領域ＯＣＣの長さが１より大きい場合、１つの上り参照信号ポートが１つのタイムユニットで占有するＲ１個の時間領域シンボルにおいて対応するシーケンスは同じであることと、
１つの上り参照信号ポートが１つのタイムユニットで占有するＲ１時間領域シンボルにおいて対応するシーケンスが異なる場合、前記上り参照信号ポートに対応する時間領域ＯＣＣの長さは１であることと、の少なくとも１つを含み、
前記Ｒ１は、前記Ｒ１は前記Ｒ以下であることと、前記Ｒ１は前記時間領域ＯＣＣの長さであることと、前記Ｒ１はＮ以下であり、前記Ｎは前記１つの上り参照信号ポートが１つのタイムユニットで占有する時間領域シンボルの数であることと、の少なくとも１つの特徴を満たす、請求項２７に記載の上り参照信号の伝送方法。
【請求項２９】
受信したシグナリング情報および合意されたルールの少なくとも１つに基づき、測定参照信号に対応するポート情報を得るように設定される取得モジュールと、
前記測定参照信号に対応する時間領域直交カバーコードＯＣＣインデックスと、前記測定参照信号に対応する時間領域ＯＣＣの長さと、前記測定参照信号のポートインデックスと、の少なくとも１つを含む前記ポート情報に基づいて前記測定参照信号を伝送するように設定される伝送モジュールと、を備える、測定参照信号の伝送装置。
【請求項３０】
シーケンスパラメータと時間領域シンボルとの間の対応関係情報と、時間領域シンボルセットに対応する時間領域直交カバーコードＯＣＣと、の少なくとも１つを含むシグナリング情報を送信するように設定される送信モジュールを備える、シグナリング情報の送信装置。
【請求項３１】
シグナリング情報を受信するように設定される受信モジュールと、
前記シグナリング情報に基づき、シーケンスパラメータと時間領域シンボルとの間の対応関係情報と、時間領域シンボルセットに対応する時間領域直交カバーコードＯＣＣと、の少なくとも１つを決定するように設定される決定モジュールと、を備える、シグナリング情報の受信装置。
【請求項３２】
測定参照信号に対応するコードフィールド情報を決定するように設定される決定モジュールと、
決定された前記コードフィールド情報を採用して前記測定参照信号を送信するように設定される送信モジュールと、を備え、
前記コードフィールド情報は、時間領域直交カバーコードＯＣＣインデックスと、循環シフト情報と、ポートインデックス情報と、の少なくとも１つを含み、シーケンスパラメータはシーケンスを生成することに用いられ、前記コードフィールド情報はＦ個の時間領域シンボルごとに１回ホッピングし、前記Ｆは正の整数であり、前記コードフィールド情報は、時間とともに変化する特徴がある、測定参照信号の伝送装置。
【請求項３３】
合意された制約条件に基づいて測定参照信号のパラメータを決定するように設定される決定モジュールと、
前記パラメータを採用し、前記測定参照信号を伝送するように設定される伝送モジュールと、を備える、測定参照信号の伝送装置。
【請求項３４】
作動されると、請求項１〜２８のいずれか１項に記載の方法を実行するように設定されるコンピュータプログラムが記憶されている記憶媒体。
【請求項３５】
コンピュータプログラムが記憶されているメモリと、前記コンピュータプログラムを作動させることによって請求項１〜２８のいずれか１項に記載の方法を実行するように設定されるプロセッサと、を備える電子装置。
【発明の詳細な説明】
【技術分野】
【０００１】
本発明は、出願番号２０１７１１４８００１０．Ｘ、出願日２０１７年１２月２９日と、出願番号２０１８１００３２０５０．６、出願日２０１８年１月１２日と、の中国特許出願に基づいて提出し、該中国特許出願の優先権を主張するものであり、該中国特許出願の全ての内容が引用により本発明に援用される。
【０００２】
本発明は、通信分野に関し、例えば、測定参照信号の伝送方法および装置に関する。
【背景技術】
【０００３】
現在、上り測定参照信号は、通信技術において重要な役割を果たしており、上りチャネルの測定だけでなく、下りチャネルの測定に用いられてもよい。将来の密集セルと大容量ユーザを考慮すると、上り測定参照信号の容量問題はさらに検討する必要がある問題である。
【０００４】
一方、新無線（Ｎｅｗ  Ｒａｄｉｏ、ＮＲ）は、ロングタームエボリューション（Ｌｏｎｇ  Ｔｅｒｍ  Ｅｖｏｌｕｔｉｏｎ、ＬＴＥ）と比べて上り測定参照信号（Ｓｏｕｎｄｉｎｇ  Ｒｅｆｅｒｅｎｃｅ  Ｓｉｇｎａｌ、ＳＲＳ）に対して、１つのＳＲＳリソース（ｒｅｓｏｕｒｃｅ）が１つのタイムスロット（ｓｌｏｔ）において連続的に｛１，２，４｝個の時間領域シンボルを占有することができるように増強し、上述した増強により、ＳＲＳの容量をさらに増強することができ、将来の大規模なユーザアクセスに適している。
【０００５】
新無線において、１つの測定参照信号の容量またはカバレッジを増強する問題に対して、現在は、まだ有効な解決案がない。
【発明の概要】
【発明が解決しようとする課題】
【０００６】
本開示実施例は、関連技術において、新無線における測定参照信号を決定する技術案が、欠如するという問題を少なくとも解決するために、測定参照信号の伝送方法および装置を提供する。
【課題を解決するための手段】
【０００７】
１つの実施例において、本開示実施例は、受信したシグナリング情報および／または合意されたルールに基づき、測定参照信号に対応するポート情報を得ることと、前記測定参照信号に対応する時間領域直交カバーコード（Ｏｒｔｈｏｇｏｎａｌ  Ｃｏｖｅｒ  Ｃｏｄｅ、ＯＣＣ）インデックスと、前記測定参照信号に対応する時間領域ＯＣＣの長さと、前記測定参照信号のポートインデックスと、の少なくとも１つを含む前記ポート情報に基づいて前記測定参照信号を伝送することと、を含む、測定参照信号の伝送方法を提供する。
【０００８】
１つの実施例において、本開示実施例は、
シーケンスパラメータと時間領域シンボルとの間の対応関係情報と、時間領域シンボルセットに対応する時間領域ＯＣＣと、の少なくとも１つを含むシグナリング情報を送信すること、を含む、シグナリング情報の送信方法を提供する。
【０００９】
１つの実施例において、本開示実施例は、シグナリング情報を受信することと、前記シグナリング情報に基づき、シーケンスと時間領域シンボルとの間の対応関係情報と、時間領域シンボルセットに対応する時間領域ＯＣＣと、の少なくとも１つを決定することと、を含む、シグナリング情報の受信方法を提供する。
【００１０】
１つの実施例において、本開示実施例は、測定参照信号に対応するコードフィールド情報を決定することと、決定された前記コードフィールド情報を採用して前記測定参照信号を送信することと、を含み、前記コードフィールド情報は、時間領域ＯＣＣインデックスと、シーケンスパラメータと、ポートインデックスと、循環シフト情報と、の少なくとも１つを含み、前記シーケンスパラメータはシーケンスを生成することに用いられ、前記コードフィールド情報はＦ個の時間領域シンボルごとに１回ホッピングし、前記Ｆは正の整数であり、前記コードフィールド情報またはポート情報は、時間とともに変化する特徴がある、測定参照信号の伝送方法をさらに提供する。
【００１１】
１つの実施例において、本開示実施例は、合意された制約条件に基づいて測定参照信号のパラメータを決定することと、前記測定参照信号のパラメータを採用し、前記測定参照信号を伝送することと、を含む、測定参照信号の伝送方法をさらに提供する。
【００１２】
１つの実施例において、本開示実施例は、
上り参照信号を伝送することを含み、
前記上り参照信号が時間領域直交カバーコードＯＣＣを採用する場合、前記上り参照信号は、
前記上り参照信号に対応する時間領域ＯＣＣの長さは、前記上り参照信号に対応する周波数領域繰返し送信パラメータＲ以下であり、前記周波数領域繰返し送信パラメータＲは、前記上り参照信号の周波数領域ホッピングの単位に含まれる時間領域シンボルの数であることと、
前記上り参照信号に対応する時間領域ＯＣＣの長さは、前記上り参照信号のシーケンス繰返しパラメータＲ５以下であることと、
前記時間領域ＯＣＣの長さと、前記上り参照信号のシーケンスパラメータとの間に関連があることと、
前記Ｒと前記Ｒ５はいずれも正の整数であることと、の少なくとも１つを満たす、上り参照信号の伝送方法をさらに提供する。
【００１３】
１つの実施例において、本開示実施例は、受信したシグナリング情報および／または合意されたルールに基づき、測定参照信号に対応するポート情報を得るように設定される取得モジュールと、前記測定参照信号に対応する時間領域ＯＣＣインデックスと、前記測定参照信号に対応する時間領域ＯＣＣの長さと、前記測定参照信号のポートインデックスと、の少なくとも１つを含む前記ポート情報に基づいて前記測定参照信号を伝送するように設定される伝送モジュールと、を備える、測定参照信号の伝送装置をさらに提供する。
【００１４】
１つの実施例において、本開示実施例は、シーケンスと時間領域シンボルとの間の対応関係情報と、時間領域シンボルセットに対応する時間領域ＯＣＣと、の少なくとも１つを含むシグナリング情報を送信するように設定される送信モジュールを備える、シグナリング情報の送信装置をさらに提供する。
【００１５】
１つの実施例において、本開示実施例は、シグナリング情報を受信するように設定される受信モジュールと、前記シグナリング情報に基づき、シーケンスと時間領域シンボルとの間の対応関係情報と、時間領域シンボルセットに対応する時間領域ＯＣＣと、の少なくとも１つの情報を決定するように設定される決定モジュールと、を備える、シグナリング情報の受信装置をさらに提供する。
【００１６】
１つの実施例において、本開示実施例は、測定参照信号に対応するコードフィールド情報を決定するように設定される決定モジュールと、決定された前記コードフィールド情報を採用して前記測定参照信号を送信するように設定される送信モジュールと、を備え、前記コードフィールド情報は、測定参照信号の時間領域ＯＣＣインデックスと、循環シフト情報と、ポートインデックス情報と、の少なくとも１つを含み、前記シーケンスパラメータはシーケンスを生成することに用いられ、前記コードフィールド情報はＦ個の時間領域シンボルごとに１回ホッピングし、前記Ｆは正の整数であり、前記コードフィールド情報またはポート情報は、時間とともに変化する特徴がある、測定参照信号の伝送装置をさらに提供する。
【００１７】
１つの実施例において、本開示実施例は、合意された制約条件に基づいて測定参照信号のパラメータを決定するように設定される決定モジュールと、前記パラメータを採用し、前記測定参照信号を伝送するように設定される伝送モジュールと、を備える、測定参照信号の伝送装置をさらに提供する。
【００１８】
１つの実施例において、本開示実施例は、作動されると、本開示のいずれかの実施例に記載の方法を実行するように設定されるコンピュータプログラムが記憶されている記憶媒体をさらに提供する。
【００１９】
１つの実施例において、コンピュータプログラムが記憶されているメモリと、前記コンピュータプログラムを作動させることによって本開示のいずれかの実施例に記載の方法を実行するように設定されるプロセッサと、を備える電子装置をさらに提供する。
【図面の簡単な説明】
【００２０】
【図１】本開示実施例に係る測定参照信号の伝送方法のフローチャートである。
【図２】本開示実施例に係るシグナリング情報の送信方法のフローチャートである。
【図３】本開示実施例に係るシグナリング情報の受信方法のフローチャートである。
【図４】本開示実施例に係る他の測定参照信号の伝送方法のフローチャートである。
【図５】本開示実施例に係る更なる測定参照信号の伝送方法のフローチャートである。
【図６】本開示実施例に係る上り参照信号の伝送方法のフローチャートである。
【図７】本開示実施例に係るポート０に対応する時間領域ＯＣＣと時間領域シンボルとの間のマッピング関係の模式図である。
【図８】本開示実施例に係るポート１に対応する時間領域ＯＣＣと時間領域シンボルとの間のマッピング関係の模式図である。
【図９】本開示実施例に係る周波数領域で部分的に重複する２つのＳＲＳリソースは時間領域ＯＣＣによって直交化される模式図である。
【図１０】本開示実施例に係るＳＲＳの周波数領域繰返し送信パラメータＲは２である模式図である。
【図１１】本開示実施例に係るＳＲＳのシーケンス繰返しパラメータＲ５は２である模式図である。
【図１２】本開示実施例に係るＳＲＳのシーケンス繰返しパラメータＲ５は４である模式図である。
【図１３】本開示に係るＳＲＳのシーケンス繰返しパラメータＲ５は４であり、かつ、１つのシーケンス繰返し送信ユニットには１つのタイムスロット（ｓｌｏｔ）より多い時間領域シンボルが含まれてもよい模式図である。
【図１４】本開示に係るＳＲＳが１つのｓｌｏｔで占有する周波数領域位置は、ＳＲＳが１つのｓｌｏｔの複数の時間領域シンボルで占有する周波数領域位置の和集合である模式図である。
【図１５ａ】本開示に係るＳＲＳツリー構造における第３レベルの帯域幅のうちの１つの帯域幅の模式図である。
【図１５ｂ】本開示に係るＳＲＳツリー構造における第２レベルの帯域幅のうちの１つの帯域幅の模式図である。
【図１６ａ】本開示に係る周波数ホッピング帯域幅レベルｂｈｏｐ＝１である模式図である。
【図１６ｂ】本開示に係る周波数ホッピング帯域幅レベルｂｈｏｐ＝２である模式図である。
【図１７】本開示実施例に係る測定参照信号の伝送装置の構造模式図である。
【図１８】本開示実施例に係るシグナリング情報の送信装置の構造模式図である。
【図１９】本開示実施例に係るシグナリング情報の受信装置の構造模式図である。
【図２０】本開示実施例に係る他の測定参照信号の伝送装置の構造模式図である。
【図２１】本開示実施例に係る更なる測定参照信号の伝送装置の構造模式図である。
【発明を実施するための形態】
【００２１】
以下、図面を参照しながら実施例を結び付けて本開示を説明する。衝突しない場合、本出願の実施例および実施例の特徴を組み合わせることができる。
【００２２】
本開示の明細書と特許請求の範囲および上述した図面における「第１」と「第２」などの用語は、類似する対象を区別するためのものであり、特定の順序または前後順序を説明するものではない。
【００２３】
実施例１
本出願実施例は、移動通信ネットワーク（第５世代移動通信ネットワーク（５ｔｈ−Ｇｅｎｅｒａｔｉｏｎ、５Ｇ）を含むがそれに限定されない）に係り、該ネットワークのネットワークアーキテクチャは、ネットワーク側装置（例えば、基地局）と、端末と、を含んでもよい。本実施例において、上記ネットワークアーキテクチャで動作可能な情報伝送方法が提供されるが、本出願実施例に係る上記情報伝送方法の動作環境は、上記ネットワークアーキテクチャに限定されない。
【００２４】
本実施例において、上記ネットワークアーキテクチャで動作する測定参照信号の伝送方法を提供し、図１を参照すると、該方法はステップ１１０〜ステップ１２０を含む。
【００２５】
ステップ１１０において、受信したシグナリング情報および合意されたルールの少なくとも１つに基づき、測定参照信号に対応するポート情報を得る。１つの実施例において、前記測定参照信号が上り測定参照信号である場合、サウンディング参照信号、すなわちＳＲＳと呼ばれてもよい。上述したステップ１１０の態様は、受信したシグナリング情報に基づいてポート情報を得ることと、または合意されたルールに基づいて測定参照信号に対応するポート情報を得ることと、またはシグナリング情報および合意されたルールに基づいてポート情報を得ることと、を含んでもよい。測定参照信号は参照信号の１つであり、チャネル推定やチャネルサウンディングに用いられてもよい。
【００２６】
１つの実施例において、合意されたルールは所定のルールと理解してもよい。
【００２７】
ステップ１２０において、前記測定参照信号に対応する時間領域ＯＣＣインデックスと、前記測定参照信号に対応する時間領域ＯＣＣの長さと、前記測定参照信号のポートインデックスと、の少なくとも１つを含む前記ポート情報に基づいて前記測定参照信号を伝送する。１つの実施例において、上述した伝送は、送信または受信を含む。
【００２８】
上述したステップにより、受信したシグナリング情報および／または合意されたルールに基づき、測定参照信号に対応するポート情報を得て、前記測定参照信号に対応する時間領域ＯＣＣインデックスと、前記測定参照信号に対応する時間領域ＯＣＣの長さと、前記測定参照信号のポートインデックスと、の少なくとも１つを含む前記ポート情報に基づいて前記測定参照信号を伝送する。上述した技術案を採用することにより、測定参照信号リソースが時間領域ＯＣＣを採用することができ、測定参照信号の容量を増加させると同時に、測定参照信号のカバレッジに影響を与えない。関連技術において、新無線における１つの測定参照信号の容量またはカバレッジを増強する技術が、欠如している問題を解決し、測定参照信号、例えば上り測定参照信号の容量問題と、周波数領域において部分的に重複する測定参照信号の直交化問題をさらに解決した。
【００２９】
１つの実施例において、上述したステップの実行主体は基地局や端末などであってもよく、これに限定されない。
【００３０】
１つの実施例において、ステップ１１０とステップ１２０の実行順序は、交換してもよい。
【００３１】
１つの実施例において、前記ポート情報は、異なる測定参照信号のポートインデックスは、異なる時間領域ＯＣＣに対応することと、１つの測定参照信号リソースに含まれる測定参照信号ポートは、１つの時間領域ＯＣＣを共有することと、１つの測定参照信号リソースは、１つの時間領域ＯＣＣに対応することと、同じ数のポートを含む２つの測定参照信号リソースに対応する測定参照信号のポートインデックスが異なることと、の少なくとも１つの特徴を含む。
【００３２】
１つの実施例において、前記合意されたルールに基づき、測定参照信号に対応するポート情報を得ることは、前記測定参照信号が所在する測定参照信号リソースの識別（Ｉｄｅｎｔｉｆｉｅｒ、ＩＤ）に基づいて前記ポート情報を得ることと、前記測定参照信号が所在する測定参照信号リソースセットのＩＤに基づいて前記ポート情報を得ることと、前記測定参照信号が所在する測定参照信号リソースセットの設定情報に基づいて前記ポート情報を得ることと、前記測定参照信号を伝送する通信ノードの識別情報（例えば、前記通信ノードが端末である場合、前記端末の識別情報は、セル無線ネットワーク一時識別（Ｃｅｌｌ−Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）であってもよい）に基づいて前記ポート情報を得ることと、復調参照信号を生成するためのパラメータに基づいて前記ポート情報を得ることと、の少なくとも１つを含み、１つの測定参照信号リソースセットは、１つまたは複数の測定参照信号リソースを含み、１つの測定参照信号リソースは、１つまたは複数の測定参照信号ポートを含む。
【００３３】
１つの実施例において、前記合意されたルールに基づき、測定参照信号に対応するポート情報を得ることは、
前記測定参照信号が所在するタイムユニットに含まれる時間領域シンボルの数Ｎと、正の整数Ｍと、前記測定参照信号が１つのタイムユニットで占有する時間領域シンボルの数Ｌと、前記測定参照信号が所在する時間領域シンボルが１つのタイムユニットに含まれるＮ個の時間領域シンボルにおけるインデックス情報ｌ２と、前記測定参照信号が所在する時間領域シンボルがプリセットのＭ個の時間領域シンボルにおけるインデックス情報ｌ１と、前記測定参照信号が前記Ｌ個の時間領域シンボルにおけるインデックス情報ｌ０と、前記測定参照信号が所在するフレームのフレーム番号と、前記測定参照信号が所在するフレームに含まれるタイムユニットの数Ｂと、前記測定参照信号が所在する帯域幅パート（Ｂａｎｄｗｉｄｔｈ  Ｐａｒｔ、ＢＷＰ）のサブキャリア間隔に基づいて得られたタイムユニットインデックスと、長さＤのランダムシーケンスと、仮想セル番号
【数１】
2021508988.tif 000003
と、前記測定参照信号に対応する周波数領域繰返し送信パラメータＲと、測定参照信号に対応するシーケンス繰返しパラメータＲ５と、の少なくとも１つの情報に基づいて前記測定参照信号に対応するポート情報を得ること、を含み、前記Ｂと、前記Ｄと、前記Ｌと、前記Ｎと、前記Ｍと、前記Ｌとは、いずれも正の整数であり、
前記Ｍは、Ａ以上且つ前記Ｎ以下であり、前記Ａは、前記測定参照信号が１つのタイムユニットで占有することが許される時間領域シンボルの最大数であり、または、前記測定参照信号が１つのタイムユニットで占有する時間領域シンボルの数である条件を満たし、
前記周波数領域繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、前記Ｒと前記Ｒ５はいずれも正の整数である。
【００３４】
１つの実施例において、前記インデックス情報
【数２】
2021508988.tif 000004
は、式
【数３】
2021508988.tif 000005
から得てもよく、ただし、
【数４】
2021508988.tif 000006
は、前記測定参照信号が１つのタイムユニットで占有する最初の時間領域シンボルが前記タイムユニットにおけるインデックス情報であり、
【数５】
2021508988.tif 000007
は、前記測定参照信号が占有する最初の時間領域シンボルが前記プリセットのＭ個の時間領域シンボルにおけるインデックス情報であり、
【数６】
2021508988.tif 000008
は、前記測定参照信号が占有する時間領域シンボルが前記Ｌ個の時間領域シンボルにおけるインデックス情報である。
【００３５】
１つの実施例において、前記受信したシグナリング情報に基づき、測定参照信号に対応するポート情報を得ることは、前記測定参照信号のポートインデックスは、前記受信したシグナリング情報に含まれることと、前記測定参照信号に対応する時間領域ＯＣＣインデックスは、前記受信したシグナリング情報に含まれることと、前記測定参照信号に対応する時間領域ＯＣＣの長さは、前記受信したシグナリング情報に含まれることと、前記測定参照信号のポート情報は、前記測定参照信号が所在する測定参照信号リソースセットの設定情報に含まれることと、の少なくとも１つを含む。
【００３６】
１つの実施例において、前記時間領域ＯＣＣの長さは、
前記測定参照信号に対応する時間領域ＯＣＣの長さは、前記測定参照信号に対応する周波数領域繰返し送信パラメータＲ以下であることと、
前記測定参照信号に対応する時間領域ＯＣＣの長さは、前記測定参照信号のシーケンス繰返しパラメータＲ５以下であることと、
前記時間領域ＯＣＣの長さは、長さ１を含むことと、
前記時間領域ＯＣＣの長さと、前記測定参照信号のシーケンスパラメータ（１つの実施例において、シーケンスパラメータは、前記シーケンスを生成することに用いられ、例えば前記シーケンスパラメータは、シーケンスグループ番号と、シーケンス番号と、循環シフトと、の少なくとも１つのパラメータを含む）との間に関連がある（１つの実施例において、本明細書で説明された前者と後者は関連があることは、前者に基づいて後者を取得することと、後者に基づいて前者を取得することと、を含んでもよい）ことと、
前記時間領域ＯＣＣの長さと、前記サウンディング参照信号のシーケンスホッピングユニットに含まれる時間領域シンボルの数との間に関連があることと、
前記時間領域ＯＣＣの長さと、前記測定参照信号シーケンスと時間領域シンボルとの間の関係である第１関係との間に関連があることと、の少なくとも１つを含み、
前記周波数領域繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、
前記Ｒと前記Ｒ５はいずれも正の整数である。
【００３７】
１つの実施例において、前記時間領域ＯＣＣの長さと、前記測定参照信号のシーケンスパラメータとの間に関連があり、前記関連は、
時間領域ＯＣＣの長さが１より大きい場合、１つの測定参照信号ポートがＲ１個の時間領域シンボルにおいて対応するシーケンスは同じであることと、
時間領域ＯＣＣの長さが１より大きい場合、１つの測定参照信号ポートがＲ１個の時間領域シンボルにおいて同じシーケンスグループ番号に対応することと、
時間領域ＯＣＣの長さが１より大きい場合、１つの測定参照信号ポートがＲ１個の時間領域シンボルにおいて同じシーケンス番号に対応することと、
１つの測定参照信号ポートがＲ１時間領域シンボルにおいて対応するシーケンスが異なる場合、前記測定参照信号ポートに対応する時間領域ＯＣＣの長さは１であることと、
１つの測定参照信号ポートがＲ１時間領域シンボルにおいて対応するシーケンスパラメータが異なる場合、前記測定参照信号ポートに対応する時間領域ＯＣＣの長さは１であることと、の少なくとも１つを含み、
【００３８】
前記Ｒ１は、前記Ｒ１は前記Ｒ以下であることと、前記Ｒ１は前記時間領域ＯＣＣの長さであることと、前記Ｒ１はＮ以下であり、前記Ｒ１個の時間領域シンボルに前記測定参照信号が含まれることと、の少なくとも１つの特徴を満たし、
前記Ｎは、１つのタイムユニットにおいて前記１つの測定参照信号ポートに含まれる時間領域シンボルの数であり、前記Ｒ１と前記Ｎはいずれも正の整数である。
【００３９】
１つの実施例において、前記時間領域ＯＣＣのセットと、前記測定参照信号のシーケンスとの間に関連がある。
【００４０】
１つの実施例において、前記時間領域ＯＣＣのセットと、前記測定参照信号のシーケンスとの間の関連は、異なる時間領域ＯＣＣセットは、異なる前記測定参照信号のシーケンス生成モードに対応することと、異なる前記測定参照信号のシーケンス生成モードは、異なる時間領域ＯＣＣセットに対応することと、の少なくとも１つを含み、前記測定参照信号に対応するシーケンス生成モードは、１つの測定参照信号ポートがＲ１個の時間領域シンボルにおいて対応するシーケンスは同じであることと、１つの測定参照信号ポートがＲ１個の時間領域シンボルにおいて対応するシーケンスは異なることと、１つの測定参照信号ポートがＲ１個の時間領域シンボルにおいて対応するシーケンスパラメータは同じであることと、１つの測定参照信号ポートがＲ１個の時間領域シンボルにおいて対応するシーケンスパラメータは異なることと、同じサブキャリアの前記時間領域ＯＣＣに対応する時間領域シンボルにおいて前記測定参照信号に対応するシンボルは同じであることと、同じサブキャリアの前記時間領域ＯＣＣコードに対応する時間領域シンボルにおいて前記測定参照信号に対応するシンボルは異なることと、の少なくとも１つを含み、
前記シーケンスパラメータは、前記シーケンスを生成することに用いられ、例えば、シーケンスグループ番号と、シーケンス番号と、循環シフトと、のパラメータのうちの１つまたは複数を含み、前記Ｒ１は正の整数であり、前記Ｒ１は、Ｒ１はＲ以下であることと、前記Ｒ１は前記時間領域ＯＣＣの長さであることと、前記Ｒ１はＮ以下であり、前記Ｒ１個の時間領域シンボルに前記測定参照信号が含まれることと、の少なくとも１つの特徴を満たし、
前記Ｎは、１つのタイムユニットにおいて前記１つの測定参照信号ポートに含まれる時間領域シンボルの数であり、
前記Ｒは、周波数領域繰返し送信パラメータであり、前記測定参照信号がＲ個の時間領域シンボルごとに周波数領域で１回ホッピングすることを表し、前記Ｒ個の時間領域シンボルにはいずれも前記測定参照信号が含まれ、前記Ｒは正の整数である。１つの実施例において、測定参照信号がＲ個の時間領域シンボルごとに周波数領域で１回ホッピングし、ただし、該Ｒ個の時間領域シンボルは、いずれも測定参照信号を含む時間領域シンボルであり、例えばインデックス１、５、７、１２の時間領域シンボルには測定参照信号が含まれる。該測定参照信号は、３つの時間領域シンボルごとに周波数領域で１回ホッピングすると仮定すると、該測定参照信号は、時間領域シンボル１、２、３の後に周波数領域で１回ホッピングすることではなく、時間領域シンボル１、５、７を経た後に周波数領域で１回ホッピングすることであり、すなわち、前記測定参照信号を含まない時間領域シンボルは、前記Ｒ個の時間領域シンボルに計算されない。
【００４１】
１つの実施例において、前記ポート情報に基づいて前記測定参照信号を伝送することは、前記測定参照信号に対応する時間領域ＯＣＣの長さは１より大きく、または前記測定参照信号に対応する時間領域ＯＣＣは所定の時間領域ＯＣＣセットに属さなく、または前記測定参照信号は少なくとも２つの異なる時間領域ＯＣＣに対応する場合、位相トラッキング参照信号（Ｐｈａｓｅ  Ｔｒａｃｋｉｎｇ  Ｒｅｆｅｒｅｎｃｅ  Ｓｉｇｎａｌ、ＰＴＲＳ）と測定参照信号の少なくとも１つの伝送が許されないことと、
測定参照信号の時間領域ＯＣＣの長さと、ＰＴＲＳを送信するか否かとは、関連があることと、
測定参照信号の時間領域ＯＣＣが有効であるか否かと、ＰＴＲＳが存在するか否かとは、関連があることと、
測定参照信号の時間領域ＯＣＣのセットと、ＰＴＲＳが存在するか否かとは、関連があることと、の少なくとも１つを含む。
【００４２】
本発明の他の実施例によれば、シグナリング情報の送信方法をさらに提供し、図２を参照すると、該方法はステップ２１０を含む。
【００４３】
ステップ２１０において、シーケンスパラメータと時間領域シンボルとの間の対応関係情報と、時間領域シンボルセットに対応する時間領域ＯＣＣ（時間領域シンボルセットに対応する時間領域ＯＣＣは、時間領域シンボルセットにおける時間領域シンボルに対応する位相スクランブル係数と呼ばれてもよい）と、の少なくとも１つを含むシグナリング情報を送信する。
【００４４】
上述した技術案を採用し、シーケンスと時間領域シンボルとの間の対応関係情報と、時間領域シンボルセットに対応する時間領域ＯＣＣと、の少なくとも１つを含むシグナリング情報を送信する。上述したシグナリング情報に基づいて測定参照信号を決定する。測定参照信号リソースが時間領域ＯＣＣを採用することができ、測定参照信号の容量を増加させると同時に、測定参照信号のカバレッジに影響を与えない。測定参照信号、例えば上り測定参照信号の容量問題と、周波数領域において部分的に重複する測定参照信号の直交化問題を解決した。本開示は、復調参照信号、例えば上り復調参照信号の容量問題と、周波数領域において部分的に重複する復調参照信号の直交化問題をさらに解決した。同時に、本開示は、異なるチャネルまたは信号の間でどのように時間領域ＯＣＣによって直交を達成するかという問題をさらに解決した。
【００４５】
１つの実施例において、前記シーケンスパラメータと時間領域シンボルとの間の対応関係情報は、シーケンスパラメータは、Ｒ２個の時間領域シンボルにおいて、変更があるか否かについての情報と、シーケンスは、Ｒ２個の時間領域シンボルにおいて、変更があるか否かについての情報と、シーケンスは、Ｒ３個の時間領域シンボルごとに１回ホッピングすることと、シーケンスパラメータは、Ｒ３個の時間領域シンボルごとに１回ホッピングすることと、の少なくとも１つを含み、前記シーケンスがＲ３個の時間領域シンボルごとに１回ホッピングすることは、前記シーケンスを生成することに用いられるすべてのシーケンスパラメータが少なくとも前記Ｒ３個の時間領域シンボルにおいて変更されないままであることを表す。前記Ｒ２と前記Ｒ３は正の整数である。
【００４６】
１つの実施例において、前記シーケンスパラメータは、前記シーケンスを生成することに用いられ、例えば前記シーケンスパラメータは、シーケンスグループ番号と、シーケンス番号と、循環シフトと、の少なくとも１つのパラメータを含む。例えば、シーケンスグループ番号が４つの時間領域シンボルごとに１回ホッピングし、シーケンス番号と循環シフトが２つの時間領域シンボルごとに１回ホッピングする場合、前記シーケンスは２つの時間領域シンボルごとに１回ホッピングする。もちろん、すべてのシーケンスパラメータの時間領域ホッピングの単位に含まれる時間領域シンボルの数を同じにしても良い。前記シーケンスパラメータは、前記シーケンスを生成することに用いられ、例えば前記シーケンスパラメータは、シーケンスグループ番号、および／または、シーケンス番号を含む。前記Ｒ２個の時間領域シンボルに前記チャネルまたは信号が含まれ、前記Ｒ３個の時間領域シンボルに前記チャネルまたは信号が含まれ、または、前記Ｒ２個の時間領域シンボルに前記チャネルまたは信号を含まない時間領域シンボルが存在してもよく、前記Ｒ３個の時間領域シンボルに前記チャネルまたは信号を含まない時間領域シンボルが存在してもよい。前記シーケンスは、チャネルまたは信号において、時間領域ＯＣＣを乗算する前の送信しようとするシンボルのシーケンスである。前記シンボルは、変調シンボルであってもよく、または参照信号シンボルであってもよい。前記チャネルは、データチャネルおよび／または制御チャネルを含み、前記信号は、復調参照信号、測定参照信号、同期信号、位相トラッキング参照信号などの参照信号を含む。
【００４７】
１つの実施例において、前記Ｒ２または前記Ｒ３は、周波数領域繰返し送信パラメータＲ以下であることと、チャネルまたは信号に対応する時間領域ＯＣＣの長さ以下であることと、１つのタイムユニットにおいて前記シグナリング情報に対応するチャネルまたは信号に含まれる時間領域シンボルの数であるＮ以下であることと、前記Ｒ２個の時間領域シンボルにはいずれも前記チャネルまたは前記信号が含まれることと、前記Ｒ３個の時間領域シンボルにはいずれも前記チャネルまたは前記信号が含まれることと、の少なくとも１つを含み（１つの実施例において、Ｒ２とＲ３は、上記の少なくとも１つを同時に含んでもよい）、
前記周波数領域繰返し送信パラメータＲは、前記測定参照信号がＲ個の時間領域シンボルごとに周波数領域で１回ホッピングすることを表し、前記Ｒ個の時間領域シンボルにはいずれも前記測定参照信号が含まれ、前記Ｒは正の整数である。
【００４８】
１つの実施例において、制御チャネルと、データチャネルと、測定参照信号と、復調参照信号と、の少なくとも１つにおいて、前記シーケンスを伝送（送信または受信を含む）する。
【００４９】
１つの実施例において、前記シグナリング情報は、時間領域シンボルセットに対応する時間領域ＯＣＣを含む場合、前記シグナリング情報の送信方法は、
前記時間領域シンボルセットの時間領域シンボルで伝送するシンボルに、前記時間領域ＯＣＣを乗算してから、前記シグナリング情報に対応するチャネルまたは信号で伝送し、または、
前記時間領域シンボルセット内の複数の時間領域シンボルで伝送するシンボルが同じである場合（１つの実施例において、前記シンボルは、前記チャネルまたは信号において、時間領域ＯＣＣを乗算する前に伝送しようとする情報である）、前記シンボルに、前記時間領域シンボルＯＣＣを乗算してから、前記シグナリング情報に対応するチャネルまたは信号で伝送すること、をさらに含む。
【００５０】
本発明の更なる実施例によれば、シグナリング情報の受信方法をさらに提供し、図３を参照すると、該方法はステップ３１０〜ステップ３２０を含む。
【００５１】
ステップ３１０において、シグナリング情報を受信する。
【００５２】
ステップ３２０において、前記シグナリング情報に基づき、シーケンスパラメータと時間領域シンボルとの間の対応関係情報と、時間領域シンボルセットに対応する時間領域ＯＣＣと、の少なくとも１つを決定する。
【００５３】
上述した技術案を採用して上述したシグナリング情報に基づいて測定参照信号の情報を決定することにより、測定参照信号リソースが時間領域ＯＣＣを採用することができ、測定参照信号の容量を増加させると同時に、測定参照信号のカバレッジに影響を与えない。関連技術において、新無線における１つの測定参照信号の容量またはカバレッジを増強する技術が、欠如している問題を解決し、測定参照信号、例えば上り測定参照信号の容量問題と、周波数領域において部分的に重複する測定参照信号の直交化問題をさらに解決した。本開示は、復調参照信号、例えば上り復調参照信号の容量問題と、周波数領域において部分的に重複する復調参照信号の直交化問題をさらに解決した。同時に、本開示は、異なるチャネルまたは信号の間でどのように時間領域ＯＣＣによって直交を達成するかという問題をさらに解決した。
【００５４】
１つの実施例において、前記シーケンスと時間領域シンボルとの間の対応関係情報は、シーケンスパラメータは、１つのタイムユニットのＲ２個の時間領域シンボルにおいて、変更があるか否かについての情報と、シーケンスは、１つのタイムユニットのＲ２個の時間領域シンボルにおいて、変更があるか否かについての情報と、シーケンスは、Ｒ３個の時間領域シンボルごとに１回ホッピングすることと、シーケンスパラメータは、Ｒ３個の時間領域シンボルごとに１回ホッピングすることと、の少なくとも１つの情報を含み、前記Ｒ２と前記Ｒ３はいずれも正の整数であり、前記シーケンスパラメータは、シーケンスグループ番号と、シーケンス番号と、の少なくとも１つのパラメータを含む。
【００５５】
１つの実施例において、Ｒ２および／またはＲ３は、Ｒ以下であることと、チャネルまたは信号に対応する時間領域ＯＣＣの長さ以下であることと、１つのタイムユニットにおいて前記シグナリング情報に対応するチャネルまたは信号に含まれる時間領域シンボルの数であるＮ以下であることと、の少なくとも１つの特徴を満たし、前記Ｒは、周波数領域繰返し送信パラメータであり、前記測定参照信号がＲ個の時間領域シンボルごとに周波数領域で１回ホッピングすることを表し、前記Ｒ個の時間領域シンボルには前記測定参照信号が含まれ、前記Ｒと前記Ｎはいずれも正の整数である。
【００５６】
１つの実施例において、制御チャネルと、データチャネルと、測定参照信号と、復調参照信号と、の少なくとも１つにおいて、前記シーケンスを伝送する。
【００５７】
１つの実施例において、前記シグナリング情報が時間領域シンボルセットに対応する時間領域ＯＣＣを含む場合は、前記時間領域シンボルセットの時間領域シンボルで伝送するシンボルに、前記時間領域ＯＣＣを乗算してから、前記シグナリング情報に対応するチャネルまたは信号で伝送することと、前記時間領域シンボルセット内の複数の時間領域シンボルで伝送するシンボルが同じである場合、前記シンボルに、前記時間領域シンボルＯＣＣを乗算してから、前記シグナリング情報に対応するチャネルまたは信号で伝送することと、の少なくとも１つの特徴を満たす。
【００５８】
本開示の更なる実施例によれば、測定参照信号の伝送方法をさらに提供し、図４を参照すると、前記測定参照信号の伝送方法は、ステップ４１０〜ステップ４２０を含む。
【００５９】
ステップ４１０において、測定参照信号に対応するコードフィールド情報を決定する。
【００６０】
ステップ４２０において、決定された前記コードフィールド情報を採用して前記測定参照信号を送信する。
【００６１】
前記コードフィールド情報は、時間領域ＯＣＣインデックスと、シーケンスパラメータと、ポートインデックスと、の少なくとも１つを含み、
前記シーケンスパラメータはシーケンスを生成することに用いられ、前記コードフィールド情報はＦ個の時間領域シンボルごとに１回ホッピングし、前記Ｆは正の整数である。
【００６２】
上述した案を採用することにより、測定参照信号のコードフィールド情報がホッピングの単位を有し、測定参照信号のセルの間の干渉を低減すると同時に、測定参照信号の容量とカバレッジをある程度増加し、同時にシグナリングのオーバーヘッドを低減し、同時にシーケンスパラメータがホッピングの単位を有することにより、時間領域ＯＣＣが測定参照信号に適用できるようになる。関連技術において、新無線における測定参照信号の容量またはカバレッジを増強する技術が、欠如している問題を解決した。
【００６３】
１つの実施例において、測定参照信号に対応するコードフィールド情報を決定することは、第１情報に基づいて前記測定参照信号のコードフィールド情報を取得すること、を含み、前記第１情報は、
前記測定参照信号が所在する測定参照信号リソースＩＤと、前記測定参照信号が所在するタイムユニットに含まれる時間領域シンボルの数Ｎと、正の整数Ｍと、前記測定参照信号が１つのタイムユニットで占有する時間領域シンボルの数Ｌと、前記測定参照信号が所在する時間領域シンボルが１つのタイムユニットに含まれるＮ個の時間領域シンボルにおけるインデックス情報ｌ２と、前記測定参照信号が所在する時間領域シンボルがプリセットのＭ個の時間領域シンボルにおけるインデックス情報ｌ１と、前記測定参照信号が前記Ｌ個の時間領域シンボルにおけるインデックス情報ｌ０と、前記測定参照信号が所在するフレームのフレーム番号と、前記測定参照信号が所在するフレームに含まれるタイムユニットの数Ｂと、前記測定参照信号が所在する帯域幅パートＢＷＰのサブキャリア間隔に基づいて得られたタイムユニットインデックスと、長さＤのランダムシーケンスと、仮想セル番号
【数７】
2021508988.tif 000009
と、前記測定参照信号に対応する周波数領域繰返し送信パラメータＲと、前記測定参照信号に対応するシーケンス繰返しパラメータＲ５と、前記Ｆと、の少なくとも１つを含み、前記Ｂと、前記Ｄと、前記Ｌと、前記Ｎと、前記Ｍと、前記Ｌとは、いずれも正の整数であり、
前記Ｍは、Ａ以上且つ前記Ｎ以下であり、前記Ａは、前記測定参照信号が１つのタイムユニットで占有することが許される時間領域シンボルの最大数であり、または、前記測定参照信号が１つのタイムユニットで占有する時間領域シンボルの数である条件を満たし、
前記周波数領域（周波数領域リソースは、周波数領域物理リソースブロック（Ｐｈｙｓｉｃａｌ  Ｒｅｓｏｕｒｃｅ  Ｂｌｏｃｋ、ＰＲＢ）および／または周波数領域サブキャリアを含む）繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、前記Ｆ個時間領域シンボルには、前記測定参照信号が含まれ、
前記Ｒと前記Ｒ５はいずれも正の整数である。
【００６４】
１つの実施例において、前記インデックス情報
【数８】
2021508988.tif 000010
は、式
【数９】
2021508988.tif 000011
から得てもよく、ただし、
【数１０】
2021508988.tif 000012
は、前記測定参照信号が１つのタイムユニットで占有する最初の時間領域シンボルが前記タイムユニットにおけるインデックス情報であり、
【数１１】
2021508988.tif 000013
は、前記測定参照信号が占有する最初の時間領域シンボルが前記プリセットのＭ個の時間領域シンボルにおけるインデックス情報であり、
【数１２】
2021508988.tif 000014
は、前記測定参照信号が占有する時間領域シンボルが前記Ｌ個の時間領域シンボルにおけるインデックス情報である。
【００６５】
１つの実施例において、前記測定参照信号の時間領域ＯＣＣインデックスまたはポートインデックスは、
【数１３】
2021508988.tif 000015
と、
【数１４】
2021508988.tif 000016
と、の１つの式で取得し、
ただし、前記
2021508988.tif 000017
はＸに関する関数であり、前記Ｘは前記第１情報を含み、
前記Ｐｏｒｔｉｎｄｅｘは、前記測定参照信号に対応するポートインデックスを表し、または前記測定参照信号に対応する時間領域ＯＣＣインデックスであり、
前記Ｔは、時間領域ＯＣＣの長さと、測定参照信号の利用可能な時間領域ＯＣＣの総数と、測定参照信号のポートの総数と、の１つの情報であり、
前記ｃ（ｚ）は、１つのランダム化されたシーケンスのｚ番目の値を表し、ｚは正の整数であり（１つの実施例において、ｃ（ｚ）は１つの疑似ランダム（Ｐｓｅｕｄｏ−Ｎｏｉｓｅ、ＰＮ）シーケンスであってもよい）、
前記
【数１５】
2021508988.tif 000018
は、合意された値であり、または他のパラメータに基づいて合意されたルールに従って得て、例えば、
【数１６】
2021508988.tif 000019
であり、ただし、
【数１７】
2021508988.tif 000020
は物理セル番号であり、または前記Ｗ０は、受信したシグナリング情報に含まれ、
前記Ｄ１は、１以上の整数であり、
前記Ｆは前記Ｒに等しく、または前記Ｆは前記Ｒ５に等しく、または前記Ｆは前記Ｒと前記Ｒ５のうちの最小値に等しい。
【００６６】
１つの実施例において、前記測定参照信号に対応するシーケンスパラメータは、シーケンスを生成することに用いられ、例えば前記シーケンスパラメータは、シーケンスグループ番号と、シーケンス番号と、循環シフトと、の少なくとも１つのパラメータを含み、
前記循環シフト
【数１８】
2021508988.tif 000021
は、
【数１９】
2021508988.tif 000022
と、
【数２０】
2021508988.tif 000023
と、の１つの式で取得し、
前記シーケンスグループ番号
2021508988.tif 000024
は、
【数２１】
2021508988.tif 000025
と、
【数２２】
2021508988.tif 000026
と、の１つの式で取得し、
前記シーケンス番号ｖは、
【数２３】
2021508988.tif 000027
と、
【数２４】
2021508988.tif 000028
と、の１つの式で取得し、
ただし、前記ｇ（Ｘ）はＸに関する関数であり、前記Ｘは前記第１情報を含み、
【数２５】
2021508988.tif 000029
は、１つの測定参照信号リソースに含まれる測定参照信号のポート数であり、
【数２６】
2021508988.tif 000030
は、合意された値であり、または受信したシグナリング情報に含まれ（
【数２７】
2021508988.tif 000031
は、測定参照信号の循環シフトに用いられてもよい総数である）、
【数２８】
2021508988.tif 000032
であり、ｃ（ｚ）は、１つのランダム化されたシーケンスのｚ番目の値を表し、ｚは正の整数であり（１つの実施例において、ｃ（ｚ）は１つのＰＮランダムシーケンスであってもよい）、
【数２９】
2021508988.tif 000033
は、所定の値であり、または
【数３０】
2021508988.tif 000034
は、受信したシグナリング情報に含まれ、
Ｄ２とＤ３は、いずれも１以上の整数であり、
前記ｃは、シーケンスグループの総数であり、
前記ｆｓｓは、合意されたルールと、受信したシグナリング情報と、の少なくとも１つに含まれるパラメータに基づいて取得したものであり、
前記Ｆは前記Ｒに等しく、または前記Ｆは前記Ｒ５に等しく、または前記Ｆは前記Ｒと前記Ｒ５のうちの最小値に等しい。
【００６７】
１つの実施例において、前記ｇ（Ｘ）は、
【数３１】
2021508988.tif 000035
と、
【数３２】
2021508988.tif 000036
と、
【数３３】
2021508988.tif 000037
と、
【数３４】
2021508988.tif 000038
と、
【数３５】
2021508988.tif 000039
と、
【数３６】
2021508988.tif 000040
と、
【数３７】
2021508988.tif 000041
と、
【数３８】
2021508988.tif 000042
と、
【数３９】
2021508988.tif 000043
と、
【数４０】
2021508988.tif 000044
と、
【数４１】
2021508988.tif 000045
と、
【数４２】
2021508988.tif 000046
と、の１つの式であり、
ただし、前記
【数４３】
2021508988.tif 000047
であり、または
【数４４】
2021508988.tif 000048
であり、前記ｎｆは、前記参照信号が所在するフレームのフレーム番号であり、前記ｎｓはタイムユニットインデックスであり、前記Ｅは、所定の値であり、
前記Ｆは前記Ｒに等しく、または前記Ｆは前記Ｒ５に等しく、または前記Ｆは前記Ｒと前記Ｒ５のうちの最小値に等しい。
【００６８】
１つの実施例において、１つのタイムユニットは、１つのタイムスロット、または、１つのサブフレームであってもよい。
【００６９】
本開示の更なる実施例によれば、測定参照信号の伝送方法をさらに提供し、図５を参照すると、ステップ５１０とステップ５２０を含む。
【００７０】
ステップ５１０において、合意された制約条件に基づいて測定参照信号のパラメータを決定する。
【００７１】
ステップ５２０において、前記測定参照信号のパラメータを採用し、前記測定参照信号を伝送する。
【００７２】
上述した技術案を採用することにより、測定参照信号の伝送が合意された条件を満たし、または前記合意された条件に基づいて測定参照信号のパラメータを決定し、シグナリングオーバーヘッドを低減する。関連技術において、新無線における１つの測定参照信号の容量またはカバレッジを増強する技術が、欠如している問題を解決した。
【００７３】
１つの実施例において、合意された制約条件に基づいて測定参照信号のパラメータを決定することは、前記制約条件に基づいて前記測定参照信号の周波数ホッピングパラメータを決定すること、を含む。
【００７４】
１つの実施例において、前記測定参照信号は、物理層動的シグナリングがトリガした測定参照信号であり、非周期的な測定参照信号と呼ばれてもよい。
【００７５】
１つの実施例において、前記測定参照信号のパラメータは、第１パラメータセットと、前記第１パラメータセットおよび前記制約条件に基づいて決定される第２パラメータセットと、を含む。
【００７６】
１つの実施例において、前記測定参照信号のパラメータは、
前記第１パラメータセットは、受信したシグナリング情報に含まれることと、
前記第２パラメータセットは、受信したシグナリング情報に含まれないことと、
前記第２パラメータセットには、前記測定参照信号が１つの時間領域シンボルで占有する帯域幅レベル情報が含まれることと、
前記第１パラメータセットと前記第２パラメータセットとの間のインターセクションは空であることと、
前記第１パラメータセットと前記第２パラメータセットのうちの少なくとも１つは、マルチレベル帯域幅構造インデックスと、前記測定参照信号が１つの時間領域シンボルで占有する帯域幅レベル情報と、前記測定参照信号の周波数ホッピング帯域幅レベル情報と、前記測定参照信号が１つのタイムユニットで占有する時間領域シンボル数情報と、前記測定参照信号の１つのタイムユニットでの繰返し送信パラメータと、前記測定参照信号のシーケンス繰返しパラメータと、の少なくとも１つを含むことと、の少なくとも１つを含む。
【００７７】
１つの実施例において、前記制約条件は、
前記測定参照信号が１つのタイムユニットで占有する周波数領域リソースは連続的であることと（１つの実施例において、前記「連続的」は、測定参照信号が占有する周波数領域リソースの和集合において、前記測定参照信号が占有するＰＲＢは連続的であり、非連続的なＰＲＢは存在しないことを示す）、
前記測定参照信号が１つのタイムユニットで占有する周波数領域サブキャリアは、前記測定参照信号が１つのタイムユニットで占有する周波数領域リソースにおいて均等に分散されることと、
前記測定参照信号が１つのタイムユニットで占有する周波数領域リソースは１つの周波数ホッピング帯域幅であることと、
前記測定参照信号が１つのタイムユニットで占有する周波数領域リソースは１つのＢＷＰであることと、
前記測定参照信号が１つのタイムユニットで占有する周波数領域リソースはマルチレベル帯域幅構造における最大帯域幅であることと、
前記測定参照信号の周波数ホッピング帯域幅レベルは、合意された値であることと、
前記測定参照信号のパラメータは、
【数４５】
2021508988.tif 000049
の式を満たすことと、
前記測定参照信号のパラメータは、
【数４６】
2021508988.tif 000050
の式を満たすことと、の少なくとも１つの条件であり、
ｂは、マルチレベル帯域幅構造における帯域幅レベル情報であり、ｂｈｏｐＡは、周波数ホッピング帯域幅レベルセットであり、Ｎｓは、前記測定参照信号が１つのタイムユニットで占有する時間領域シンボルの数であり、Ｒは、前記測定参照信号の周波数領域繰返し送信パラメータであり、前記マルチレベル帯域幅構造には、複数の帯域幅レベルが含まれ、第ｂ−１レベル帯域幅の１つの帯域幅は、第ｂレベル帯域幅のＮｂ個の帯域幅を含み、前記測定参照信号が１つの周波数ホッピング帯域幅レベルにおいて占有する帯域幅のインデックスは、時間とともに変化し、前記測定参照信号が前記周波数ホッピング帯域幅レベルセットのうちの１つの周波数ホッピング帯域幅レベルにおいて占有する帯域幅のインデックスは、時間とともに変化し、前記ｂｈｏｐと前記ＢＳＲＳのうちの少なくとも１つは、所定の値であり、または、前記ｂｈｏｐと前記ＢＳＲＳのうちの少なくとも１つは、受信したシグナリング情報に含まれ、前記ｂｈｏｐと前記ＢＳＲＳは、０以上の整数である。
【００７８】
１つの実施例において、前記周波数ホッピング帯域幅レベルセットが
【数４７】
2021508988.tif 000051
である場合、前記制限条件は、
前記測定参照信号のパラメータは、
【数４８】
2021508988.tif 000052
の式を満たすことであり、
前記ｂｈｏｐは、所定の値であり、または前記ｂｈｏｐは、受信したシグナリング情報に含まれる。
【００７９】
１つの実施例において、第１通信ノードが前記測定参照信号を伝送する通信ノードである場合、前記測定参照信号のパラメータを採用し、前記測定参照信号を伝送する前に、前記測定参照信号の伝送方法は、
第１通信ノードは、前記合意された条件を満たさない測定参照信号のパラメータ設定を受信することを望まなく（ｎｏｔ  ｅｘｐｅｃｔｅｄ）（１つの実施例において、「望まない」は、第３世代パートナシップ計画（３ｒｄ  Ｇｅｎｅｒａｔｉｏｎ  Ｐａｒｔｎｅｒｓｈｉｐ  Ｐｒｏｊｅｃｔ、３ＧＰＰ）標準における技術用語である）、すなわち、前記第１通信ノードは、前記合意された条件を満たす測定参照信号のパラメータ設定を受信することを望むことと、第１通信ノードが前記合意された条件を満たさない測定参照信号のパラメータ設定を受信した場合、前記第１通信ノードは前記測定参照信号を伝送しないことと、
第１通信ノードが前記合意された条件を満たさない測定参照信号のパラメータ設定を受信した場合、前記第１通信ノードは所定の指示情報を送信することと（ここでは、前記第１通信ノードの上位層、または前記測定参照信号の伝送の対向側である第２通信ノードに前記所定の指示情報を送信してもよい）、の少なくとも１つをさらに含み、
前記第１通信ノードは、前記測定参照信号を伝送する通信ノードである。
【００８０】
本開示の更なる実施例によれば、上り参照信号の伝送方法をさらに提供し、図６を参照すると、該上り参照信号の伝送方法は、ステップ６１０を含む。
【００８１】
ステップ６１０において、上り参照信号を伝送する。
【００８２】
１つの実施例において、伝送は、送信および／または受信を含む。
【００８３】
前記上り参照信号が時間領域ＯＣＣを採用する場合、前記上り参照信号は、
前記上り参照信号に対応する時間領域ＯＣＣの長さは、前記上り参照信号に対応する周波数領域繰返し送信パラメータＲ以下であり、前記周波数領域繰返し送信パラメータＲは、前記上り参照信号の周波数領域ホッピングの単位に含まれる時間領域シンボルの数であることと、
前記上り参照信号に対応する時間領域ＯＣＣの長さは、前記上り参照信号のシーケンス繰返しパラメータＲ５以下であることと、
前記時間領域ＯＣＣの長さと、前記上り参照信号のシーケンスパラメータとの間に関連があることと、
前記Ｒと前記Ｒ５はいずれも正の整数であることと、の少なくとも１つを満たす。
【００８４】
１つの実施例において、上り参照信号は、上り復調参照信号と、上り位相トラッキング参照信号と、上りランダムチャネルシーケンスなどと、を含む。
【００８５】
１つの実施例において、前記時間領域ＯＣＣの長さと、前記上り参照信号のシーケンスパラメータとの間に関連があり、前記関連は、
前記時間領域ＯＣＣの長さが１より大きい場合、１つの上り参照信号ポートが１つのタイムユニットで占有するＲ１個の時間領域シンボルにおいて対応するシーケンスは同じであることと、
１つの上り参照信号ポートが１つのタイムユニットで占有するＲ１時間領域シンボルにおいて対応するシーケンスが異なる場合、前記上り参照信号ポートに対応する時間領域ＯＣＣの長さは１であることと、の少なくとも１つを含み、
前記Ｒ１は、前記Ｒ１は前記Ｒ以下であることと、前記Ｒ１は前記時間領域ＯＣＣの長さであることと、前記Ｒ１はＮ以下であり、前記Ｎは前記１つの上り参照信号ポートが１つのタイムユニットで占有する時間領域シンボルの数であることと、の少なくとも１つの特徴を満たす。
【００８６】
本開示の他の実施例によれば、測定参照信号の伝送方法をさらに提供し、ステップ７１０とステップ７２０を含む。
【００８７】
ステップ７１０において、合意された制約条件に基づいて測定参照信号のパラメータを決定する。
【００８８】
ステップ７２０において、前記パラメータを採用し、前記測定参照信号を伝送する。
【００８９】
１つの実施例において、合意された制約条件に基づいて測定参照信号のパラメータを決定することは、前記制約条件に基づいて前記測定参照信号の周波数ホッピングパラメータを決定すること、を含む。
【００９０】
１つの実施例において、前記測定参照信号は、物理層動的シグナリングがトリガした測定参照信号であり、非周期的な測定参照信号と呼ばれてもよい。
【００９１】
１つの実施例において、前記測定参照信号のパラメータは、第１パラメータセットと、前記第１パラメータセットおよび前記制約条件に基づいて決定される第２パラメータセットと、を含む。
【００９２】
１つの実施例において、前記測定参照信号の伝送方法は、
前記第１パラメータセットは、受信したシグナリング情報に含まれることと、
前記第２パラメータセットは、受信したシグナリング情報に含まれないことと、
前記第２パラメータセットには、測定参照信号が１つの時間領域シンボルで占有する帯域幅レベル情報が含まれることと、
前記第１パラメータセットと前記第２パラメータセットとの間のインターセクションは空であることと、
前記第１パラメータセットと前記第２パラメータセットのうちの少なくとも１つは、マルチレベル帯域幅構造インデックスと、測定参照信号が１つの時間領域シンボルで占有する帯域幅レベル情報と、測定参照信号の周波数ホッピング帯域幅レベル情報と、測定参照信号が１つのタイムユニットで占有する時間領域シンボル数情報と、測定参照信号の１つのタイムユニットでの繰返し送信パラメータと、の少なくとも１つのパラメータを含むことと、の少なくとも１つの特徴を満たす。
【００９３】
１つの実施例において、前記制約条件は、
前記測定参照信号のパラメータは、
【数４９】
2021508988.tif 000053
の式を満たすことであり、
ｂは、マルチレベル帯域幅構造における帯域幅レベル情報であり、ｂｈｏｐＡは、周波数ホッピング帯域幅レベルセットであり、Ｎｓは、前記測定参照信号が１つのタイムユニットで占有する時間領域シンボルの数であり、Ｒは、前記測定参照信号の周波数領域繰返し送信パラメータであり、前記マルチレベル帯域幅構造には、複数の帯域幅レベルが含まれ、第ｂ−１レベル帯域幅の１つの帯域幅は、第ｂレベル帯域幅のＮｂ個の帯域幅を含み、前記測定参照信号が１つの周波数ホッピング帯域幅レベルにおいて占有する帯域幅のインデックスは、時間とともに変化し、前記測定参照信号が前記周波数ホッピング帯域幅レベルセットのうちの１つの周波数ホッピング帯域幅レベルにおいて占有する帯域幅のインデックスは、時間とともに変化する。
【００９４】
１つの実施例において、周波数ホッピング帯域幅レベルセットが
【数５０】
2021508988.tif 000054
である場合、前記制限条件は、
前記測定参照信号のパラメータは、
【数５１】
2021508988.tif 000055
の式を満たすことであり、
前記ｂｈｏｐは、所定の値であり、または前記ｂｈｏｐは、受信したシグナリング情報に含まれる。
【００９５】
１つの実施例において、第１通信ノードが前記測定参照信号を伝送する通信ノードである場合、前記測定参照信号のパラメータを採用し、前記測定参照信号を伝送する前に、前記測定参照信号の伝送方法は、
第１通信ノードは、前記合意された条件を満たさない測定参照信号のパラメータ設定を受信することを望まない（ｎｏｔ  ｅｘｐｅｃｔｅｄ）（１つの実施例において、「望まない」は３ＧＰＰ標準における技術用語である）ことと、
第１通信ノードが前記合意された条件を満たさない測定参照信号のパラメータ設定を受信した場合、前記第１通信ノードは前記測定参照信号を伝送しないことと、
第１通信ノードが前記合意された条件を満たさない測定参照信号のパラメータ設定を受信した場合、前記第１通信ノードは所定の指示情報を送信することと（ここでは、前記第１通信ノードの上位層、または前記測定参照信号の伝送の対向側である第２通信ノードに前記所定の指示情報を送信してもよい）、の少なくとも１つをさらに含み、
前記第１通信ノードは、前記測定参照信号を伝送する通信ノードである。
【００９６】
本開示の他の実施例によれば、測定参照信号の伝送方法をさらに提供し、ステップ８１０とステップ８２０を含む。
【００９７】
ステップ８１０において、合意された制約条件に基づいて測定参照信号のパラメータを決定する。
【００９８】
ステップ８２０において、前記パラメータを採用し、前記測定参照信号を伝送する。
【００９９】
１つの実施例において、合意された制約条件に基づいて測定参照信号のパラメータを決定することは、前記制約条件に基づいて前記測定参照信号の周波数ホッピングパラメータを決定すること、を含む。
【０１００】
１つの実施例において、前記測定参照信号は、物理層動的シグナリングがトリガした測定参照信号であり、非周期的な測定参照信号と呼ばれてもよい。
【０１０１】
１つの実施例において、前記測定参照信号のパラメータは、第１パラメータセットと、前記第１パラメータセットおよび前記制約条件に基づいて決定される第２パラメータセットと、を含む。
【０１０２】
１つの実施例において、前記測定参照信号の伝送方法は、
前記第１パラメータセットは、受信したシグナリング情報に含まれることと、
前記第２パラメータセットは、受信したシグナリング情報に含まれないことと、
前記第２パラメータセットには、測定参照信号が１つの時間領域シンボルで占有する帯域幅レベル情報が含まれることと、
前記第１パラメータセットと前記第２パラメータセットとの間のインターセクションは空であることと、
前記第１パラメータセットと前記第２パラメータセットのうちの少なくとも１つは、マルチレベル帯域幅構造インデックスと、測定参照信号が１つの時間領域シンボルで占有する帯域幅レベル情報と、測定参照信号の周波数ホッピング帯域幅レベル情報と、測定参照信号が１つのタイムユニットで占有する時間領域シンボル数情報と、測定参照信号の１つのタイムユニットでの繰返し送信パラメータと、の少なくとも１つのパラメータを含むことと、の少なくとも１つの特徴を満たす。
【０１０３】
１つの実施例において、前記制約条件は、
前記測定参照信号のパラメータは、
【数５２】
2021508988.tif 000056
の式を満たすことであり、
ｂは、マルチレベル帯域幅構造における帯域幅レベル情報であり、Ｎｓは、前記測定参照信号が１つのタイムユニットで占有する時間領域シンボルの数であり、Ｒは、前記測定参照信号の周波数領域繰返し送信パラメータであり、前記マルチレベル帯域幅構造には、複数の帯域幅レベルが含まれ、第ｂ−１レベル帯域幅の１つの帯域幅は、第ｂレベル帯域幅のＮｂ個の帯域幅を含み、前記測定参照信号が１つの周波数ホッピング帯域幅レベルにおいて占有する帯域幅のインデックスは、時間とともに変化し、前記測定参照信号が前記周波数ホッピング帯域幅レベルセットのうちの１つの周波数ホッピング帯域幅レベルにおいて占有する帯域幅のインデックスは、時間とともに変化し、前記ｂｈｏｐと前記ＢＳＲＳのうちの少なくとも１つは、所定の値であり、または、前記ｂｈｏｐと前記ＢＳＲＳのうちの少なくとも１つは、受信したシグナリング情報に含まれ、前記ｂｈｏｐと前記ＢＳＲＳは、０以上の整数である。
【０１０４】
１つの実施例において、周波数ホッピング帯域幅レベルセットｂｈｏｐＡが
【数５３】
2021508988.tif 000057
である場合、前記制限条件は、
前記測定参照信号のパラメータは、
【数５４】
2021508988.tif 000058
の式を満たすことであり、
前記ｂｈｏｐは、所定の値であり、または前記ｂｈｏｐは、受信したシグナリング情報に含まれる。
【０１０５】
１つの実施例において、第１通信ノードが前記測定参照信号を伝送する通信ノードである場合、前記測定参照信号のパラメータを採用し、前記測定参照信号を伝送する前に、前記測定参照信号の伝送方法は、
第１通信ノードは、前記合意された条件を満たさない測定参照信号のパラメータ設定を受信することを望まなく（ｎｏｔ  ｅｘｐｅｃｔｅｄ）（「望まない」は３ＧＰＰ標準における技術用語である）、すなわち、前記第１通信ノードは、前記合意された条件を満たす測定参照信号のパラメータ設定を受信することを望むことと、
第１通信ノードが前記合意された条件を満たさない測定参照信号のパラメータ設定を受信した場合、前記第１通信ノードは前記測定参照信号を伝送しないことと、
第１通信ノードが前記合意された条件を満たさない測定参照信号のパラメータ設定を受信した場合、前記第１通信ノードは所定の指示情報を送信することと（ここでは、前記第１通信ノードの上位層、または前記測定参照信号の伝送の対向側である第２通信ノードに前記所定の指示情報を送信してもよい）、の少なくとも１つをさらに含み、
前記第１通信ノードは、前記測定参照信号を伝送する通信ノードである。
【０１０６】
以下、本開示のインスタンスに関連して説明する。
【０１０７】
インスタンス１
本開示実施例において、上り測定参照信号は時間領域ＯＣＣを採用して送信してもよく、前記時間領域ＯＣＣは、上り測定参照信号が１つのタイムスロット（ｓｌｏｔ）において対応する周波数領域繰返し送信パラメータＲ以下であり、前記上り測定参照信号の周波数領域繰返し送信パラメータＲは、前記測定参照信号がＲ個の時間領域シンボルで占有する周波数領域リソースが同じであることを示し、前記周波数領域リソースは、周波数領域ＰＲＢと、ＰＲＢのサブキャリアと、の少なくとも１つのリソースを含む。
【０１０８】
基地局は、端末にその測定参照信号が使用する時間領域ＯＣＣを通知し、例えば１つの測定参照信号は、表１に示すような１つのＯＣＣに対応する１つのポートを含む。表１は、インスタンス１に係る概略表１である。
【表１】
2021508988.tif 000059
【０１０９】
表１において、異なるＯＣＣは異なるポートに対応し、図７と図８に示すように、ＯＣＣから時間領域シンボルへのマッピングであり、図７は本開示に係るポート０に対応する時間領域ＯＣＣと時間領域シンボルとの間のマッピング関係の模式図であり、図７はポート０のＯＣＣから時間領域シンボルへのマッピングである。図８は本開示に係るポート１に対応する時間領域ＯＣＣと時間領域シンボルとの間のマッピング関係の模式図であり、図８はポート１のＯＣＣから時間領域シンボルへのマッピングである。この場合、例えば、ＳＲＳリソース１にポート０が含まれ、ＳＲＳリソース２にポート１が含まれるなどの測定参照信号のポートインデックスをシグナリングで通知してもよく、ＳＲＳリソース１とＳＲＳリソース２はいずれも１つのポートを含むが、それらの１つはポート０に対応し、１つはポート１に対応し、ＳＲＳリソース１とＳＲＳリソース２は、異なる端末に割り当てられるＳＲＳリソースであってもよい。図７および図８における時間領域ＯＣＣに参加する４つの時間領域シンボルは、連続的な時間領域シンボルであってもよいし、非連続的な時間領域シンボルであってもよいし、１つのｓｌｏｔにおける時間領域シンボルであってもよいし、複数のｓｌｏｔにおける時間領域シンボルであってもよい。
【０１１０】
本実施例の他の実施形態において、基地局はシグナリングでＯＣＣインデックスを直接通知し、１つのＳＲＳリソースは１つのＯＣＣに対応し、１つのＳＲＳリソースに含まれる複数のポートは、１つのＯＣＣを共有し、表２に示すように、表２は、インスタンス１に係る概略表２である。
【表２】
2021508988.tif 000060
【０１１１】
例えば、ＳＲＳリソース（ＳＲＳ  ｒｅｓｏｕｒｃｅ）３とＳＲＳリソース４は、いずれも４つのＳＲＳポートを含むリソースであり、ＳＲＳリソース３はＯＣＣインデックス０に対応し、ＳＲＳリソース４はＯＣＣインデックス１に対応し、ＳＲＳ  ｒｅｓｏｕｒｃｅ３の４つのＳＲＳポートは、時間領域ＯＣＣ［１，１，１，１］を共有する。本実施例の他の実施形態では、１つのＳＲＳ  ｒｅｓｏｕｒｃｅセット（ｓｅｔ）のすべてのＳＲＳ  ｒｅｓｏｕｒｃｅに含まれるすべてのＳＲＳポートは、１つの時間領域ＯＣＣインデックスを共有する。もちろん、本実施例は、１つのＳＲＳリソースの異なるＳＲＳポートが異なる時間領域ＯＣＣを採用することを除外しない。
【０１１２】
本実施例の上記形態において、基地局は、シグナリング情報で端末にＳＲＳが使用する時間領域ＯＣＣインデックスを通知し、例えば、シグナリング情報でＳＲＳが使用するポートインデックスを通知し、またはＳＲＳが使用する時間領域ＯＣＣインデックスを通知する。基地局は、シグナリングで時間領域ＯＣＣの長さの情報をさらに通知してもよい。
【０１１３】
本実施例の他の実施形態において、端末が合意されたルールで上述した情報を取得できるように、基地局と端末とはルールを合意してもよく、例えば、端末は、ＳＲＳリソースＩＤから、端末が使用するＯＣＣインデックス（またはポートインデックス）を取得してもよく、例えば、時間領域ＯＣＣのコードインデックス
【数５５】
2021508988.tif 000061
であり、ただし、ＳＲＳＩＤはＳＲＳリソースの識別（Ｉｄｅｎｔｉｆｉｃａｔｉｏｎ、ＩＤ）であり、Ｔは使用可能なＯＣＣの総数、または時間領域ＯＣＣの長さである。同様に、ＳＲＳリソースが所在するＳＲＳリソースセット（ＳＲＳ  ｒｅｓｏｕｒｃｅ  ｇｒｏｕｐまたはＳＲＳ  ｒｅｓｏｕｒｃｅ  ｓｅｔと呼ばれる）のＩＤ、または端末のアイデンティティ識別番号、例えばＣ−ＲＮＴＩから前記時間領域ＯＣＣインデックスを取得してもよい。
【０１１４】
本出願において、上り測定参照信号は、上りサウンディング参照信号と呼ばれてもよい。
【０１１５】
インスタンス２
本インスタンスにおいて、ＳＲＳの時間領域ＯＣＣとＳＲＳシーケンスとは関連がある。
【０１１６】
１つの実施例において、ＳＲＳの時間領域ＯＣＣの長さと、ＳＲＳシーケンスが時間領域シンボルとともに変化するか否かとは関連があり、ＳＲＳの時間領域ＯＣＣが有効であるか否かと、ＳＲＳシーケンスが時間領域シンボルとともに変化するか否かとは、関連があるとも呼ばれる。またはＳＲＳの時間領域ＯＣＣの長さと、ＳＲＳシーケンスパラメータが時間領域シンボルとともに変化するか否かとは関連があり、前記ＳＲＳシーケンスパラメータは、シーケンスグループ番号と、シーケンス番号と、のうちの１つまたは複数のパラメータであってもよい。
【０１１７】
１つの実施例において、ＳＲＳの時間領域ＯＣＣの長さが１であることは、ＳＲＳの時間領域ＯＣＣは有効ではないと呼ばれてもよい。ＳＲＳの時間領域ＯＣＣの長さが１より大きいことは、ＳＲＳの時間領域ＯＣＣは有効であると呼ばれてもよい。
【０１１８】
ＳＲＳの時間領域ＯＣＣの長さが１より大きい場合、ＳＲＳのシーケンスは時間領域ＯＣＣが所在する時間領域シンボルにおいて不変である。ＳＲＳの時間領域ＯＣＣの長さが１に等しい場合、ＳＲＳのシーケンスは時間領域ＯＣＣが所在する時間領域シンボルにおいて可変である。
【０１１９】
および／またはＳＲＳの時間領域ＯＣＣの長さが１より大きい場合、ＳＲＳのシーケンスグループ番号は時間領域ＯＣＣが所在する時間領域シンボルにおいて不変である。ＳＲＳの時間領域ＯＣＣの長さが１に等しい場合、ＳＲＳのシーケンスグループ番号は時間領域ＯＣＣが所在する時間領域シンボルにおいて可変である。
【０１２０】
および／またはＳＲＳの時間領域ＯＣＣの長さが１より大きい場合、ＳＲＳのシーケンス番号は時間領域ＯＣＣが所在する時間領域シンボルにおいて不変である。ＳＲＳの時間領域ＯＣＣの長さが１に等しい場合、ＳＲＳのシーケンス番号は時間領域ＯＣＣが所在する時間領域シンボルにおいて可変である。
【０１２１】
１つの実施例において、ＮＲにおけるＳＲＳのシーケンス
2021508988.tif 000062
は、以下の式で取得する。
【数５６】
2021508988.tif 000063
【０１２２】
時間領域ＯＣＣを採用する場合、ＳＲＳで送信する参照信号は、以下の式で取得する。
【数５７】
2021508988.tif 000064
【０１２３】
ただし、
【数５８】
2021508988.tif 000065
は、ＳＲＳのシーケンス長であり、ｍは、ＳＲＳが占有するＰＲＢの数であり、δは、ＳＲＳが採用するインターリーブ周波数分割多元接続（Ｉｎｔｅｒｌｅａｖｅｄ  Ｆｒｅｑｕｅｎｃｙ  Ｄｉｖｉｓｉｏｎｎ  Ｍｕｌｔｉｐｌｅ  Ａｃｃｅｓｓ、ＩＦＤＭＡ）方式の櫛状の総数であり、αは、循環シフトパラメータであり、
【数５９】
2021508988.tif 000066
は｛０，１｝に属し、または０に固定され、ｗ（ｌ）は、時間領域ＯＣＣが時間領域シンボルｌにおける要素であり、または時間領域ＯＣＣが時間領域シンボルｌにおける位相スクランブル係数と呼ばれる。
【０１２４】
１つの実施例において、
【数６０】
2021508988.tif 000067
が０に固定されている場合、上述した式（１−０）は
【数６１】
2021508988.tif 000068
と同等である。
【０１２５】
本出願において、ＳＲＳに対応するシーケンスは、ＳＲＳが時間領域ＯＣＣを乗算する前に送信しようとするシンボルのセットで構成され、例えば、１つの時間領域シンボルでのＳＲＳが占有する複数のリソースエレメント（Ｒｅｓｏｕｒｃｅ  Ｅｌｅｍｅｎｔ、ＲＥ）でＳＲＳが送信しようとする複数のシンボルは、前記１つのシーケンスを構成し、すなわち式（１−１）内の
【数６２】
2021508988.tif 000069
は、ＳＲＳに対応する１つのシーケンスを構成する。
【０１２６】
ＳＲＳのシーケンス長
【数６３】
2021508988.tif 000070
が
【数６４】
2021508988.tif 000071
より大きい場合（
【数６５】
2021508988.tif 000072
は、１つのＰＲＢに含まれるサブキャリアの数であり、例えば、ＬＴＥとＮＲにおいて、
【数６６】
2021508988.tif 000073
は、１２である）、
【数６７】
2021508988.tif 000074
であり、
【数６８】
2021508988.tif 000075
であり、
【数６９】
2021508988.tif 000076
であり、
【数７０】
2021508988.tif 000077
であり、
ｖは、前記シーケンス番号であり、｛０，１｝に属し、０≦α≦２πであり、
【数７１】
2021508988.tif 000078
は、
【数７２】
2021508988.tif 000079
以下の最大素数である。１つの実施例において、ＳＲＳが占有するＰＲＢの数が６より小さい場合、ｖは０であり、そうでなければｖは０または１であってもよい。
【０１２７】
ＳＲＳのシーケンス長
【数７３】
2021508988.tif 000080
は、
【数７４】
2021508988.tif 000081
以下である場合、
前記
【数７５】
2021508988.tif 000082
であり、
ただし、
【数７６】
2021508988.tif 000083
は、前記シーケンスグループ番号ｕに基づき、所定のテーブルを検索して得る。
前記ｕは、前記シーケンスグループ番号であり、ｕは、以下の式で取得する。
【数７７】
2021508988.tif 000084
【数７８】
2021508988.tif 000085
【０１２８】
ただし、ｃ（ｚ）は、疑似ランダム（Ｐｓｅｕｄｏ−ｒａｎｄｏｍ）シーケンスのｚ番目の値であり、１つの初期化値ｃｉｎｉｔを指定すると、１つのランダムシーケンスが生成される。シーケンス生成における初期化値は
【数７９】
2021508988.tif 000086
であり、
【数８０】
2021508988.tif 000087
であり、
【数８１】
2021508988.tif 000088
は上位層によって設定されたパラメータであり、または物理セル識別番号である。
【０１２９】
ただし、長さが３１の疑似ランダム（Ｐｓｅｕｄｏ−ｒａｎｄｏｍ）シーケンスは、下記の方法によって生成される。
【数８２】
2021508988.tif 000089
【０１３０】
【数８３】
2021508988.tif 000090
であり、Ｎｃ＝１６００であり、
【数８４】
2021508988.tif 000091
であり、
【数８５】
2021508988.tif 000092
である。
【０１３１】
式（２）においてｈ（）が時間パラメータに関する関数であるため、１つの測定参照信号ポートまたは１つの測定参照信号リソースに対応するシーケンスグループ番号は、時間領域シンボルとともに変化する。
【０１３２】
ただし、ＳＲＳが時間領域ＯＣＣ直交を採用することにより、周波数領域において部分的に重複する２つのＳＲＳリソース１とＳＲＳリソース２の間で直交を達成し、図９は本開示に係る周波数領域で部分的に重複する２つのＳＲＳリソースは時間領域ＯＣＣによって直交化される模式図であり、図９に示すように、ＳＲＳリソース１のポートとＳＲＳリソース２のポートを直交させるために、時間領域ＯＣＣを採用してもよく、ＳＲＳリソース１とＳＲＳリソース２は、重複する部分で対応するシーケンスが異なるため、この場合直交させるために、ＳＲＳリソース１は、時間領域ＯＣＣが所在する２つの時間領域シンボルで同じシーケンスを採用し、同様にＳＲＳリソース２は、時間領域ＯＣＣが所在する２つの時間領域シンボルで同じシーケンスを採用する。したがって、シーケンスグループ番号ｕは時間領域ＯＣＣが所在する時間領域シンボルで変更されない。
【０１３３】
すなわち、ｈ（）関数には、時間領域シンボルインデックスが含まれなく、またはｈ（）関数において、時間領域ＯＣＣが所在する時間領域シンボルの複数の時間領域シンボルに対して同じ値を取る。
【０１３４】
したがって、基地局と端末とは、時間領域ＯＣＣの長さが１より大きい場合、ｈ（）の取得パラメータには時間領域シンボルインデックスが含まれなく、時間領域ＯＣＣの長さが１である場合、ｈ（）の取得パラメータには時間領域シンボルインデックスが含まれると合意してもよい。または、基地局と端末とは、時間領域ＯＣＣの長さが１より大きい場合、シーケンスグループ番号ｕの時間に伴うホッピングは有効にせず、時間領域ＯＣＣの長さが１である場合、シーケンスグループ番号ｕの時間に伴うホッピングは有効にすると合意してもよい。または、基地局と端末とは、時間領域ＯＣＣの長さが１より大きい場合、時間領域ＯＣＣが所在する複数の時間領域シンボルでｈ（）の値が同じであり、時間領域ＯＣＣの長さが１である場合、時間領域ＯＣＣが所在する複数の時間領域シンボルでｈ（）の値が異なってもよいと合意してもよい。
【０１３５】
同様に、例えばシーケンス番号ｖは
【数８６】
2021508988.tif 000093
の式で取得し、シーケンス番号のホッピングが有効な場合、ｖ＝ｃ（ｚ１）であり、基地局と端末とは、時間領域ＯＣＣの長さが１より大きい場合、ｚ１の取得パラメータには時間領域シンボルインデックスが含まれなく、時間領域ＯＣＣの長さが１に等しい場合、ｚ１の取得パラメータには時間領域シンボルインデックスが含まれると合意してもよい。または、基地局と端末とは、時間領域ＯＣＣの長さが１より大きい場合、シーケンス番号ｖの時間に伴うホッピングは有効にせず、時間領域ＯＣＣの長さが１である場合、シーケンス番号ｖの時間に伴うホッピングは有効にすると合意してもよい。または、基地局と端末とは、時間領域ＯＣＣの長さが１より大きい場合、時間領域ＯＣＣが所在する複数の時間領域シンボルでｚ１の値が同じであり、時間領域ＯＣＣの長さが１である場合、時間領域ＯＣＣが所在する複数の時間領域シンボルでｚ１の値が異なってもよいと合意してもよい。
【０１３６】
上述した実施形態では、時間領域ＯＣＣの長さとシーケンスとは関連があるが、時間領域ＯＣＣのコードセットとシーケンスとは関連があってもよく、例えば、端末と基地局とは、時間領域ＯＣＣがセット１＝｛（１，１，１，１）｝に属する場合、ｈ（）の取得パラメータには時間領域シンボルインデックスが含まれ、または、シーケンスグループ番号ｕの時間に伴うホッピングは有効にし、または、ｈ（）は時間領域ＯＣＣが所在する４つの時間領域シンボルでの値が異なってもよく、時間領域ＯＣＣがセット２＝｛（１，−１，１，−１），（１，１，−１，−１），（１，−１，−１，１）｝に属する場合、ｈ（）の取得パラメータには時間領域シンボルインデックスが含まれず、または、シーケンスグループ番号ｕの時間に伴うホッピングは有効にせず、または、ｈ（）は時間領域ＯＣＣが所在する４つの時間領域シンボルでの値が同じである。
【０１３７】
同様に、時間領域ＯＣＣのコードセットとシーケンス番号ｖとは関連があってもよく、例えば、端末と基地局とは、時間領域ＯＣＣがセット１＝｛（１，１，１，１）｝に属する場合、ｚ１の取得パラメータには時間領域シンボルインデックスが含まれ、または、シーケンス番号ｖの時間に伴うホッピングは有効にし、または、ｚ１は時間領域ＯＣＣが所在する４つの時間領域シンボルでの値が異なってもよく、時間領域ＯＣＣがセット２＝｛（１，−１，１，−１），（１，１，−１，−１），（１，−１，−１，１）｝に属する場合、ｚ１の取得パラメータには時間領域シンボルインデックスが含まれず、または、シーケンス番号ｖの時間に伴うホッピングは有効にせず、または、ｚ１は時間領域ＯＣＣが所在する４つの時間領域シンボルでの値が同じである。
【０１３８】
上述した時間領域ＯＣＣのコードセット１と時間領域ＯＣＣのコードセット２の分割は一例にすぎず、他の分割方法も除外されない。つまり、時間領域のコードセットとシーケンスの生成モードとの間に関連がある。または、時間領域のコードセットとシーケンスのパラメータとの間に関連がある。
【０１３９】
インスタンス３
本インスタンスにおいて、上り参照信号が時間領域ＯＣＣを採用する場合、時間領域ＯＣＣの長さは、以下の特徴１〜特徴４の少なくとも１つを満たす。
【０１４０】
特徴１において、前記測定参照信号に対応する時間領域ＯＣＣの長さは、前記測定参照信号に対応する周波数領域繰返し送信パラメータＲ以下であり、前記周波数領域繰返し送信パラメータＲは、前記測定参照信号の１つのタイムユニットにおける周波数領域ホッピングの単位に含まれる時間領域シンボルの数である。図１０は本開示に係るＳＲＳの周波数領域繰返し送信パラメータＲは２である模式図であり、図１０に示すように、１つの測定参照信号ポートは、１つのｓｌｏｔで４つのシンボルを占有し、最初の２つの時間領域シンボルで占有する周波数領域リソースは同じであり、最後の２つの時間領域シンボルで占有する周波数領域位置は同じであり、最初の２つの時間領域シンボルと最後の２つの時間領域シンボルで占有する周波数領域は異なり、例えば、占有するＰＲＢは異なるが、占有するＩＦＤＭＡの中の櫛形ｃｏｍｂは同じであってもよい。図１０において、周波数領域繰返し送信パラメータＲは、前記測定参照信号が１つのタイムユニットのＲ個の時間領域シンボルで占有する周波数領域リソース（周波数領域リソースは、周波数領域物理リソースブロックＰＲＢと周波数領域サブキャリアを含む）が不変であることを示し、前記測定参照信号がＲ個の時間領域シンボル（すなわち、前記測定参照信号がＲ個の時間領域シンボルで送信する）を送信するたびに周波数領域で１回ホッピングすることを示してもよく、前記Ｒ個の時間領域シンボルは、異なるｓｌｏｔに位置してもよく、同じタイムユニットに位置してもよい。前記周波数領域リソースは、物理リソースブロック（Ｐｈｙｓｉｃａｌ  ｒｅｓｏｕｒｃｅ  ｂｌｏｃｋ、ＰＲＢ）と、ＰＲＢに含まれるサブキャリアと、サブキャリアと、の少なくとも１つのリソースを含む。
【０１４１】
特徴２において、前記測定参照信号に対応する時間領域ＯＣＣの長さは、前記測定参照信号のシーケンス繰返しパラメータＲ５以下であり、前記上り参照信号のシーケンスおよび／または上り参照信号のシーケンスパラメータは、前記Ｒ５個の時間領域シンボルで不変である。図１１は、本開示に係るＳＲＳのシーケンス繰返しパラメータＲ５は２である模式図であり、図１１に示すように、１つのＳＲＳポートは、１つのｓｌｏｔで４つのシンボルを占有し、最初の２つの時間領域シンボルにおいて同じシーケンスを採用し、すなわち、最初の２つの時間領域シンボルの同じサブキャリアでＳＲＳが使用するシンボルは同じであり（例えば、第１サブキャリアでＳＲＳが時間領域ＯＣＣの前のシンボルは、いずれもａ１であり、すなわち、前記ＲＥで式（１−０）の
【数８７】
2021508988.tif 000094
はａ１である）、最後の２つの時間領域シンボルにおいて同じシーケンスを採用し、すなわち、最後の２つの時間領域シンボルの同じサブキャリアでＳＲＳが使用するシンボルは同じであり、このように、前記ＳＲＳ参照信号のシーケンス繰返しパラメータＲ５が２に等しいため、時間領域ＯＣＣは、最初の２つの時間領域シンボル、または最後の２つの時間領域シンボルでのみマッピングすることができ、したがって時間領域ＯＣＣの長さは２以下である。図１２は、本開示に係るＳＲＳのシーケンス繰返しパラメータＲ５は４である模式図であり、図１２に示すように、１つのＳＲＳポートは、１つのｓｌｏｔで４つのシンボルを占有し、これらの４つの時間領域シンボルにおいて同じシーケンスを採用し、すなわち、これらの４つの時間領域シンボルの同じサブキャリアでＳＲＳが時間領域ＯＣＣの前に使用するシンボルは同じであり、このように、前記ＳＲＳ参照信号のシーケンス繰返しパラメータＲ５が４に等しい。したがって時間領域ＯＣＣの長さは４以下であってもよい。図１１〜１２において、１つのＳＲＳポートは、１つのｓｌｏｔで４つのシンボルを占有し、本実施例において、ＳＲＳを取得するシーケンス繰返しパラメータＲ５は、ｓｌｏｔを跨ったものであってもよく、図１３は、本開示に係るＳＲＳのシーケンス繰返しパラメータＲ５は４であり、かつ、１つのシーケンス繰返し送信ユニットには１つのｓｌｏｔより多い時間領域シンボルが含まれてもよい模式図であり、すなわち、図１３に示すように、ＳＲＳのシーケンス繰返しパラメータＲ５は４であり、前記シーケンス繰返しパラメータＲ５は、シーケンスホッピングの時間領域シンボル数と呼ばれてもよい。前記シーケンス繰返しパラメータＲ５は、ＳＲＳシーケンスと時間領域シンボルとの間の関係と呼ばれてもよい。１つの実施例において、シーケンス繰返しパラメータＲ５は、シーケンス繰返し送信パラメータと呼ばれる。
【０１４２】
特徴３において、前記時間領域ＯＣＣの長さは、長さ１を含む。時間領域ＯＣＣの長さが１に等しいことは、時間領域ＯＣＣが有効ではないと呼ばれてもよい。本出願において、前記時間領域ＯＣＣの長さは、｛１，２，４｝に属し、または、時間領域ＯＣＣの長さは、｛１，２，４，８｝に属する。
【０１４３】
特徴４において、前記時間領域ＯＣＣの長さと、前記測定参照信号のシーケンスパラメータとの間に関連がある。例えば、時間領域ＯＣＣの長さが１より大きい場合、１つのＳＲＳポートが１つのタイムユニットで占有するＲ１個の時間領域シンボルにおいて対応するシーケンスは同じであり、および／または時間領域ＯＣＣの長さが１より大きい場合、１つのＳＲＳポートが１つのタイムユニットで占有するＲ１個の時間領域シンボルにおいて同じシーケンスグループ番号（シーケンスグループ番号は、すなわち、インスタンス１で説明されたｕである）に対応し、時間領域ＯＣＣの長さが１より大きい場合、１つのＳＲＳポートが１つのタイムユニットで占有するＲ１個の時間領域シンボルにおいて同じシーケンス番号（シーケンス番号は、すなわち、インスタンス１で説明されたｖである）に対応し、１つのＳＲＳポートが１つのタイムユニットで占有するＲ１時間領域シンボルにおいて対応するシーケンスが異なる場合、前記測定参照信号ポートに対応する時間領域ＯＣＣの長さは１であり、１つのＳＲＳポートが１つのタイムユニットで占有するＲ１時間領域シンボルにおいて対応するシーケンスグループ番号が異なる場合、前記測定参照信号ポートに対応する時間領域ＯＣＣの長さは１であり、１つのＳＲＳポートが１つのタイムユニットで占有するＲ１時間領域シンボルにおいて対応するシーケンス番号が異なる場合、前記測定参照信号ポートに対応する時間領域ＯＣＣの長さは１であり、
前記Ｒ１は、Ｒ１は前記Ｒ以下であることと、前記Ｒ１は前記時間領域ＯＣＣの長さであることと、前記Ｒ１はＮ以下であり、Ｎは前記１つの測定参照信号ポートが１つのタイムユニットにおいて含む時間領域シンボルの数である。
【０１４４】
上述した実施例において、前記Ｒ１個の時間領域シンボルは、１つのタイムユニットにあり、例えば１つのｓｌｏｔにあり、もちろん、本実施例は、前記Ｒ１個の時間領域シンボルが複数のタイムユニットの時間領域シンボルを含んでもよいことも除外しなく、例えば、前記Ｒ１個の時間領域シンボルは、１つより多いｓｌｏｔの時間領域シンボルを含む。
【０１４５】
本実施例において、上り測定参照信号を用いて特徴１〜特徴４を述べたが、もちろん、例えば、上り復調参照信号と、上り位相トラッキング参照信号と、上りランダムチャネルシーケンス（Ｐｒｅａｍｂｌｅ）などの上りの他の参照信号も上述した特徴１〜特徴４のうちの１つまたは複数の特徴に適用してもよい。
【０１４６】
インスタンス４
本インスタンスにおいて、基地局が端末に、シーケンスと時間領域シンボルとの間の対応関係情報と、時間領域シンボルセットに対応する時間領域ＯＣＣ（前記時間領域シンボルセットに対応する時間領域ＯＣＣは、時間領域シンボルセットにおける時間領域シンボルに対応する位相スクランブル係数と呼ばれてもよい）と、の少なくとも１つの情報を含む、シグナリング情報を送信する。
前記シーケンスと時間領域シンボルとの間の対応関係情報は、シーケンスパラメータは、１つのタイムユニットのＲ２個の時間領域シンボルにおいて、変更があるか否かについての情報と、シーケンスは、１つのタイムユニットのＲ２個の時間領域シンボルにおいて、変更があるか否かについての情報と、シーケンスは、Ｒ３個の時間領域シンボルごとに１回ホッピングすることと（すなわち、前記シーケンスは、前記測定参照信号が占有するＲ３個の時間領域シンボルの後に１回ホッピングする）、シーケンスパラメータは、Ｒ３個の時間領域シンボルごとに１回ホッピングすることと（すなわち、前記シーケンスパラメータは、前記測定参照信号が占有するＲ３個の時間領域シンボルの後に１回ホッピングする）、の少なくとも１つを含み、前記シーケンスパラメータは、前記シーケンスを生成することに用いられ、例えば前記シーケンスパラメータは、シーケンスグループ番号（インスタンス１で説明したパラメータｕ）と、シーケンス番号（インスタンスにおけるパラメータｖ）と、の１つまたは２つのパラメータを含む。つまり、シーケンスパラメータは、前記チャネルまたは信号が占有するＲ３個の時間領域シンボルの後に１回のホッピングが発生し、前記Ｒ３個の時間領域シンボルは、１つのタイムユニットにあってもよく、複数のタイムユニットにあってもよく、ここで、１つのタイムユニットは、１つのｓｌｏｔ、または１つのサブフレームであってもよく、もちろん、他のタイムユニットも除外しない。１つの実施例において、時間領域シンボルセットに対応する時間領域ＯＣＣは、時間領域シンボルセットにおける時間領域シンボルに対応する位相スクランブル係数と呼ばれてもよい。
【０１４７】
１つの実施例において、前記Ｒ２またはＲ３は、Ｒ以下であることと、前記シグナリングがチャネルまたは信号に対応する時間領域ＯＣＣの長さであることと、１つのタイムユニットにおいて前記シグナリング情報に対応するチャネルまたは信号に含まれる時間領域シンボルの数であるＮ以下であることと、の少なくとも１つの特徴を満たす。１つの実施例において、前記Ｒ２とＲ３は、シーケンス繰返しパラメータ、またはシーケンスホッピングパラメータ、または他の同等の名称と呼ばれてもよい。
【０１４８】
前記シーケンスは、制御チャネルと、データチャネルと、測定参照信号と、復調参照信号と、のチャネルまたは信号で伝送する。ＳＲＳと制御チャネルとの間の直交化は、時間領域ＯＣＣによって達成することが可能であるため、制御チャネルが使用する時間領域ＯＣＣ情報とＳＲＳが使用する時間領域ＯＣＣを通知する。同様に、データチャネルが使用する時間領域ＯＣＣインデックスを通知してもよく、また復調参照信号が使用する時間領域ＯＣＣインデックスを通知してもよい。
【０１４９】
１つの実施例において、前記時間領域シンボルセットの時間領域シンボルは、時間領域ＯＣＣに対応し、前記シグナリング情報に対応するチャネルまたは信号が前記時間領域シンボルセットの時間領域シンボルで伝送する信号に前記時間領域ＯＣＣを乗算してから伝送する。
【０１５０】
または、前記シグナリング情報に対応するチャネルまたは信号が前記時間領域シンボルセットの時間領域シンボルで伝送する信号が同じである場合、前記信号に前記時間領域シンボルＯＣＣを乗算してから伝送する。例えば、時間領域ＯＣＣによって上り制御チャネルとＳＲＳとが同じ周波数領域リソースで直交を達成することができるが、上り制御チャネルとＳＲＳが使用するシーケンスが異なるため、上り制御チャネルが前記時間領域ＯＣＣに対応する時間領域シンボルセットにおいて対応する送信シーケンスが同じであり、ＳＲＳが使用するシーケンスが前記時間領域ＯＣＣに対応する時間領域シンボルセットにおいて対応する送信シーケンスも同じである。
【０１５１】
本実施例または本出願において、前記シーケンスは、前記チャネルまたは信号で送信される情報に時間領域ＯＣＣを乗算する前のシンボルで構成され、例えば、１つの時間領域シンボルの複数のＲＥにおいてＯＣＣを乗算する前の複数のシンボルが前記１つのシーケンスを構成する。
【０１５２】
インスタンス５
本インスタンスにおいて、ＳＲＳのコードフィールド情報は、Ｆ個の時間領域シンボルごとに１回ホッピングし、前記コードフィールド情報は、ＳＲＳの時間領域ＯＣＣと、シーケンスパラメータと、ポートインデックスと、の少なくとも１つを含み、Ｆは、１以上の正の整数であり、前記Ｆ個の時間領域シンボルには、前記ＳＲＳが含まれ、すなわち、ＳＲＳを含まない時間領域シンボルは、前記Ｆに計算されなく、前記シーケンスパラメータは、前記シーケンスを生成することに用いられ、例えば、ＳＲＳが式（１−１）または式（１−０）のＺＣシーケンスまたは所定シーケンスを採用する場合、前記シーケンスパラメータは、シーケンスグループ番号ｕと、シーケンス番号ｖと、循環シフト
【数８８】
2021508988.tif 000095
と、の少なくとも１つのパラメータを含む。
【０１５３】
１つの実施例において、第１情報に基づいて前記測定参照信号のコードフィールド情報を取得し、前記第１情報は、前記測定参照信号が所在する測定参照信号リソースのＩＤ（例えば、
【数８９】
2021508988.tif 000096
であり、ただし、ＳＲＳＩＤは、ＳＲＳが所在するＳＲＳ  ｒｅｓｏｕｒｃｅのＩＤを表す）と、前記測定参照信号が所在するタイムユニットに含まれる時間領域シンボルの数Ｎ（例えば、１つのｓｌｏｔに１４個の時間領域シンボルが含まれる場合、Ｎ＝１４であり、１つのｓｌｏｔに１２個の時間領域シンボルが含まれる場合、Ｎ＝１２であり、もちろん、本実施例は、１つのｓｌｏｔに含まれる時間領域シンボルの数が他の状況であることを除外しない）と、整数Ｍと、前記測定参照信号が１つのタイムユニットで占有する時間領域シンボルの数Ｌ（例えば、Ｌは１つの測定参照信号が１つのｓｌｏｔで占有する時間領域シンボルの数であり、Ｌは｛１，２，４｝に属する）と、前記測定参照信号が所在するタイムユニットに含まれる時間領域シンボルの数Ｎと、正の整数Ｍと、前記測定参照信号が１つのタイムユニットで占有する時間領域シンボルの数Ｌと、前記測定参照信号が所在する時間領域シンボルが１つのタイムユニットに含まれるＮ個の時間領域シンボルにおけるインデックス情報ｌ２と、前記測定参照信号が所在する時間領域シンボルがプリセットのＭ個の時間領域シンボルにおけるインデックス情報ｌ１と、前記測定参照信号が前記Ｌ個の時間領域シンボルにおけるインデックス情報ｌ０と、前記測定参照信号が所在するフレームのフレーム番号と、前記測定参照信号が所在するフレームに含まれるタイムユニットの数Ｂと、前記測定参照信号が所在するＢＷＰのサブキャリア間隔に基づいて得られたタイムユニットインデックスと、長さＤのランダムシーケンスと、仮想セル番号
【数９０】
2021508988.tif 000097
と、前記測定参照信号に対応する周波数領域繰返し送信パラメータＲと、前記測定参照信号に対応するシーケンス繰返しパラメータＲ５と、前記Ｆと、の少なくとも１つを含む。
【０１５４】
１つの実施例において、前記インデックス情報
【数９１】
2021508988.tif 000098
は、式
【数９２】
2021508988.tif 000099
から得てもよく、ただし、
【数９３】
2021508988.tif 000100
は、前記測定参照信号が１つのタイムユニットで占有する最初の時間領域シンボルが前記タイムユニットにおけるインデックス情報であり、
【数９４】
2021508988.tif 000101
は、前記測定参照信号が占有する最初の時間領域シンボルが前記プリセットのＭ個の時間領域シンボルにおけるインデックス情報であり、
【数９５】
2021508988.tif 000102
は、前記測定参照信号が占有する時間領域シンボルが前記Ｌ個の時間領域シンボルにおけるインデックス情報である。例えば、１つのＳＲＳ測定参照信号ポートまたは１つのＳＲＳ測定参照信号リソースが、１つのｓｌｏｔのインデックスが｛９，１０，１１，１２｝である４つの時間領域シンボルを占有する場合、
【数９６】
2021508988.tif 000103
は９であり、
【数９７】
2021508988.tif 000104
は１であり、前記Ｍ個のプリセットの時間領域シンボルが、１つのｓｌｏｔのインデックスが｛８，９，１０，１１，１２，１３｝の時間領域シンボルであると仮定した場合、前記Ｍ個のプリセットの時間領域シンボルは、１つのｓｌｏｔの最後の６つの時間領域シンボルである。この場合、前記
【数９８】
2021508988.tif 000105
である。
【０１５５】
前記Ｍは、前記Ｎ以下であり、かつ、前記測定参照信号が１つのタイムユニットで占有することが許される時間領域シンボルの最大数（例えば、ＮＲにおいてＳＲＳが１つのｓｌｏｔの最後の６つの時間領域シンボルを占有してもよい場合、Ａは６であり、またはＭは６である）であり、または、前記測定参照信号が１つのタイムユニットで占有する時間領域シンボルの数（例えば、１つのＳＲＳリソースが１つのｓｌｏｔで占有する時間領域シンボルが｛１，２，４｝に属する場合、Ａは｛１，２，４｝に属する）であるＡ以上である条件を満たす。前記周波数領域繰返し送信パラメータＲは、前記測定参照信号が１つのタイムユニットのＲ個の時間領域シンボルで占有する周波数領域リソースが不変であることを示し、周波数領域リソースは、ＰＲＢリソースと、ＰＲＢのＲＥ（サブキャリアとも呼ばれる）と、の少なくとも１つを含み、例えば、前記測定参照信号がＲ個の時間領域シンボルで占有するＰＲＢは同じであるが、占有するＰＲＢのサブキャリアは異なってもよく、または前記測定参照信号がＲ個の時間領域シンボルで占有するＰＲＢは同じであり、占有するＰＲＢのサブキャリアも同じである。または、周波数領域繰返し送信パラメータＲは、前記測定参照信号が占有するＲ個の時間領域シンボルの後に、前記測定参照信号に対応する周波数領域リソースがホッピングし、前記Ｒ個の時間領域シンボルは１つのｓｌｏｔに位置してもよく、複数のｓｌｏｔに位置してもよい。
【０１５６】
１つの実施例において、ＳＲＳが使用する時間領域ＯＣＣインデックスまたはポートインデックスは、以下の式の１つで取得する。
【数９９】
2021508988.tif 000106
【数１００】
2021508988.tif 000107
【０１５７】
ただし、前記ｇ（Ｘ）はＸに関する関数であり、前記Ｘは前記第１情報であり、Ｐｏｒｔｉｎｄｅｘは、前記測定参照信号に対応するポートインデックスを表し、または前記測定参照信号に対応するＯＣＣインデックスであり、Ｔは、時間領域ＯＣＣの長さと、ＳＲＳが利用可能な時間領域ＯＣＣの総数と、ＳＲＳの異なるポートの総数と、前記測定参照信号の周波数領域繰返し送信パラメータＲと、前記測定参照信号のシーケンス繰返しパラメータＲ５と、の１つの情報である。ｃ（ｚ）は、１つのランダム化されたシーケンスのｚ番目の値を表し、
【数１０１】
2021508988.tif 000108
は、所定の値であり、またはｗ０は、受信したシグナリング情報に含まれる。Ｄ１は、１以上の整数である。例えばＤ１＝８であり、前記Ｆは前記Ｒであり、または前記Ｒ５であり、または前記Ｒと前記Ｒ５の最小値である。
【０１５８】
同様に、ＳＲＳの循環シフトパラメータ（前記循環シフトパラメータは、すなわち、式（１−１）または式（１−０）のαであり、例えば、ｉ番目の測定参照信号ポートの
【数１０２】
2021508988.tif 000109
である）時間とともに変化してもよい。例えば、ＳＲＳに対応する循環シフト
【数１０３】
2021508988.tif 000110
は、以下の式の１つで取得する。
【数１０４】
2021508988.tif 000111
【数１０５】
2021508988.tif 000112
【０１５９】
および／または、前記シーケンスグループ番号ｕは、以下の式の１つで取得する。
【数１０６】
2021508988.tif 000113
【数１０７】
2021508988.tif 000114
【０１６０】
および／または、前記シーケンス番号
2021508988.tif 000115
は、以下の式の１つで取得する。
【数１０８】
2021508988.tif 000116
【数１０９】
2021508988.tif 000117
【０１６１】
ただし、前記ｇ（Ｘ）はＸに関する関数であり、前記Ｘは前記第１情報であり、
【数１１０】
2021508988.tif 000118
は、１つのＳＲＳリソースに含まれる測定参照信号ポートの数であり、
【数１１１】
2021508988.tif 000119
は合意された値であり、最大循環シフトの数、または利用可能な異なる循環シフトの総数を表し、｛８，１２｝に属し、または｛８，２４｝に属し、
【数１１２】
2021508988.tif 000120
であり、ｃ（ｚ）は、１つのランダム化されたシーケンスのｚ番目の値を表す。
【数１１３】
2021508988.tif 000121
は、所定の値であり、または
【数１１４】
2021508988.tif 000122
は、受信したシグナリング情報に含まれる。Ｄ２は、１以上の整数である。前記Ｃはシーケンスグループの総数であり、例えば、３０であり、前記ｆｓｓは、合意されたルールおよび／または受信したシグナリング情報に含まれるパラメータに基づいて取得したものであり、例えば、
【数１１５】
2021508988.tif 000123
である。
【０１６２】
前記Ｆは前記Ｒに等しく、または前記Ｆは前記Ｒ５に等しく、または前記Ｆは前記Ｒと前記Ｒ５の最小値に等しい。１つの実施例において、前記シーケンスグループ番号ｕと、シーケンス番号ｖと、循環シフト
【数１１６】
2021508988.tif 000124
とは、異なるＦ値に対応してもよく、同じＦ値に対応してもよい。
【０１６３】
例えば、ｃ（ｚ）は１つのＰＮシーケンスであり、その初期化値は
【数１１７】
2021508988.tif 000125
に関する関数である。
【０１６４】
１つの実施例において、前記ｇ（Ｘ）は、
【数１１８】
2021508988.tif 000126
と
【数１１９】
2021508988.tif 000127
と、
【数１２０】
2021508988.tif 000128
と、
【数１２１】
2021508988.tif 000129
と、
【数１２２】
2021508988.tif 000130
と、
【数１２３】
2021508988.tif 000131
と、
【数１２４】
2021508988.tif 000132
と、
【数１２５】
2021508988.tif 000133
と、
【数１２６】
2021508988.tif 000134
と、
【数１２７】
2021508988.tif 000135
と、
【数１２８】
2021508988.tif 000136
と、
【数１２９】
2021508988.tif 000137
と、の１つの式であり、
前記
【数１３０】
2021508988.tif 000138
であり、または
【数１３１】
2021508988.tif 000139
であり、前記ｎｆは、前記参照信号が所在するフレームのフレーム番号であり、前記Ｅは、所定の値である。
【０１６５】
インスタンス６
本インスタンスにおいて、端末は合意された制約条件に基づいて測定参照信号のパラメータを決定し、前記パラメータを採用し、前記測定参照信号を伝送する。
【０１６６】
１つの実施例において、前記パラメータは前記ＳＲＳの周波数ホッピングパラメータである。
【０１６７】
１つの実施例において、前記ＳＲＳは、物理層動的シグナリングがトリガした測定参照信号であり、例えば、非周期的なＳＲＳである。
【０１６８】
１つの実施例において、前記所定の制約条件は、以下の条件の少なくとも１つである。
【０１６９】
条件１において、前記測定参照信号が１つのタイムユニットで占有する周波数領域リソースは連続的であり、図１４は、本開示に係るＳＲＳが１つのｓｌｏｔで占有する周波数領域位置は、ＳＲＳが１つのｓｌｏｔの複数の時間領域シンボルで占有する周波数領域位置の和集合である模式図であり、図１４に示すように、１つのＳＲＳリソースが１つのｓｌｏｔで４つの時間領域シンボルを占有し、各時間領域シンボルで占有する周波数領域リソースが異なり、例えば、各時間領域シンボルで占有する周波数領域ＰＲＢが異なり、このように、前記ＳＲＳが１つのｓｌｏｔで占有する周波数領域リソースは、前記ＳＲＳが４つの時間領域シンボルで占有する周波数領域リソースの和集合であり、図１４に示すように、この制約条件は、すなわちＳＲＳが１つのｓｌｏｔで占有する周波数領域リソースが連続的であり、中には非連続的な周波数ブロックが存在しなく、前記周波数領域リソースがＰＲＢを単位とすることである。
【０１７０】
条件２において、前記測定参照信号が１つのタイムユニットで占有する周波数領域サブキャリアは、前記測定参照信号が１つのタイムユニットで占有する周波数領域リソースにおいて均等に分散される。
【０１７１】
条件３において、前記測定参照信号が１つのタイムユニットで占有する周波数領域リソースは１つの周波数ホッピング帯域幅であり、周波数ホッピング帯域幅は、パラメータｂｈｏｐで決定し、図１５ａは、本開示に係るＳＲＳツリー構造における第３レベルの帯域幅のうちの１つの帯域幅の模式図であり、図１５ａに示すように、ＳＲＳの帯域幅は、ツリーに類似する構造によって表され、または１つのツリーを１つのマルチレベル帯域幅構造と呼び、ツリー構造において第ｎレベルの１つの帯域幅は、第ｎ＋１レベルの１つまたは複数の帯域幅を含み、例えば図１５ａにおいて１つ上のレベルの帯域幅は１つ下のレベルの２つの帯域幅を含み、図１５ａに示すように、図の影の部分の１つの帯域幅は、ｂ＝０，１，２，３である各レベルの帯域幅において対応する帯域幅インデックスは、順番に０，１，１，０である。図１５ｂは、本開示に係るＳＲＳツリー構造における第２レベルの帯域幅のうちの１つの帯域幅の模式図であり、図１５ｂに示す影の部分の１つの帯域幅は、ｂ＝０，１，２の各レベルの帯域幅において対応する帯域幅インデックスが０，０，１である。周波数ホッピング帯域幅パラメータｂｈｏｐは、ＳＲＳの周波数ホッピングの周波数領域範囲を表すことに用いられ、すなわち、ＳＲＳが各時間領域シンボルにおいて占有する周波数領域位置の和集合が、レベルｂｈｏｐの帯域幅のうちの１つの帯域幅に属する。または、周波数ホッピング帯域幅パラメータｂｈｏｐから得たＳＲＳの周波数ホッピングの帯域幅レベルセットは
【数１３２】
2021508988.tif 000140
であると呼ばれてもよい。図１６ａは、本開示に係る周波数ホッピング帯域幅レベルｂｈｏｐ＝１である模式図であり、図１６ｂは、本開示に係る周波数ホッピング帯域幅レベルｂｈｏｐ＝２である模式図である。
【０１７２】
条件４において、前記測定参照信号が１つのタイムユニットで占有する周波数領域リソースは１つのＢＷＰである。
【０１７３】
条件５において、前記測定参照信号が１つのタイムユニットで占有する周波数領域リソースはマルチレベル帯域幅構造における最大帯域幅であり、例えば、ＳＲＳが１つのｓｌｏｔで占有する周波数領域リソースは、ｍＳＲＳ，０によって決定された１つの帯域幅であり、ｍＳＲＳ，０に対応する１つの帯域幅は、図１６ａまたは１６ｂに示すように、ツリー構造における最大帯域幅に対応する帯域幅であると呼ばれてもよい。
【０１７４】
条件６において、前記測定参照信号の周波数ホッピング帯域幅レベルは、合意された値であり、例えば、非周期的な測定参照信号に対応するｂｈｏｐ＝０である。
【０１７５】
条件６において、前記測定参照信号のパラメータは、式
【数１３３】
2021508988.tif 000141
または
【数１３４】
2021508988.tif 000142
を満たし、ただし、ｂは、マルチレベル帯域幅構造における帯域幅レベル情報であり、ｂｈｏｐＡは、周波数ホッピング帯域幅レベルセットであり、すなわちＳＲＳがツリー構造において、レベルがｂｈｏｐＡに属する帯域幅レベルにおいて、その帯域幅インデックスは時間とともに変化し、ｂｈｏｐＡに属さない帯域幅レベルにおいて、その帯域幅インデックスは時間とともに変化しない。Ｎｓは、前記測定参照信号が１つのタイムユニットで占有する時間領域シンボルの数であり、Ｒは、前記測定参照信号の周波数領域繰返し送信パラメータである。前記マルチレベル帯域幅構造には、複数の帯域幅レベルが含まれ、第ｂ−１レベル帯域幅の１つの帯域幅は、第ｉレベル帯域幅のＮｂ個の帯域幅を含み、図１６ａおよび図１６ｂに示すように、Ｎ０＝１，Ｎ１＝２，Ｎ２＝２，Ｎ３＝２である。前記測定参照信号が１つの周波数ホッピング帯域幅レベルにおいて占有する帯域幅のインデックスは、時間とともに変化し、１つの実施例において、前記ＳＲＳが占有する周波数領域の開始位置ｋ０は、式
【数１３５】
2021508988.tif 000143
で得ることができ、ただし、
【数１３６】
2021508988.tif 000144
であり、ｎｓｈｉｆｔは上位層によって設定されたパラメータであり、ｋＴＣはＳＲＳがＩＦＤＭＡ方式を採用して伝送する場合のＳＲＳが所在する櫛のインデックスであり、ＫＴＣはＳＲＳがＩＦＤＭＡ方式を採用して伝送する場合のＳＲＳの櫛の総数である。
【数１３７】
2021508988.tif 000145
【数１３８】
2021508988.tif 000146
【数１３９】
2021508988.tif 000147
【０１７６】
上記の式から、帯域幅レベルがｂｈｏｐＡに属する場合、ＳＲＳは該帯域幅レベルにおいて対応する帯域幅インデックスｎｂが時間とともに変化し、帯域幅レベルがｂｈｏｐＡに属さない場合、ＳＲＳは該帯域幅レベルにおいて対応する帯域幅インデックスｎｂが時間とともに変化しないことが分かり、ｎＲＲＣは上位層によって設定されたパラメータである。
【０１７７】
１つの実施例において、Ｎｂが１に等しいと、帯域幅インデックスｎｂは時間とともに変化しなくなり、時間とともに変化する特例としてもよい。
【０１７８】
１つの実施例において、周波数ホッピング帯域幅が
【数１４０】
2021508988.tif 000148
である場合、上記の式は次の式に更新されてもよい。
【数１４１】
2021508988.tif 000149
【数１４２】
2021508988.tif 000150
【０１７９】
上記の式の計算において、ｂ’＝ｂｈｏｐである場合に対し、Ｎｂ’＝１に固定する。
【数１４３】
2021508988.tif 000151
【０１８０】
ＳＲＳの設定パラメータは
【数１４４】
2021508988.tif 000152
を満たす必要があるため、ＳＲＳの第１パラメータセット情報のみを設定してもよく、第２パラメータセット情報は、第１パラメータセットのパラメータ設定と制約条件
【数１４５】
2021508988.tif 000153
によって得てもよく、例えば、
【数１４６】
2021508988.tif 000154
の５つのパラメータについては、一部のパラメータのみを設定し、残りのパラメータは設定されたパラメータと
【数１４７】
2021508988.tif 000155
に基づいて得てもよく、例えば、
【数１４８】
2021508988.tif 000156
を設定した場合、端末はさらに
【数１４９】
2021508988.tif 000157
に基づいてｂｈｏｐＡを得て、または
【数１５０】
2021508988.tif 000158
を設定した場合、端末はさらに
【数１５１】
2021508988.tif 000159
に基づいてＮｓを得て、または
【数１５２】
2021508988.tif 000160
を設定した場合、端末はさらに
【数１５３】
2021508988.tif 000161
に基づいてＢＳＲＳを得る。制約条件
【数１５４】
2021508988.tif 000162
に対し、
【数１５５】
2021508988.tif 000163
である場合、この制約条件は、
【数１５６】
2021508988.tif 000164
または
【数１５７】
2021508988.tif 000165
に更新されてもよく、または、この式は
【数１５８】
2021508988.tif 000166
と同等であり、ｂ＝ｂｈｏｐである場合に対し、Ｎｂ＝１に固定され、この場合、パラメータｂｈｏｐＡのうち、ｂｈｏｐを知っていればよい。つまり、ＳＲＳの第２パラメータセットは、ＳＲＳの第１パラメータセットと前記所定の制約条件に基づいて決定される。前記第１パラメータセットおよび／または第２パラメータセットは、前記第１パラメータセットは、受信したシグナリング情報に含まれることと、前記第２パラメータセットは、受信したシグナリング情報に含まれないことと、前記第２パラメータセットには、測定参照信号が１つの時間領域ユニットで占有する帯域幅情報（例えば、ＢＳＲＳ）が含まれることと、第１パラメータセットと前記第２パラメータセットとの間のインターセクションは空であることと、の少なくとも１つを満たす。第１パラメータセットは、マルチレベル帯域幅構造インデックス（例えば、ＣＳＲＳであり、ただし、ＣＳＲＳは、複数のツリー構造から１つを選択することを表す）と、測定参照信号が１つの時間領域ユニットで占有する帯域幅情報（例えば、ＢＳＲＳ）と、測定参照信号の周波数ホッピング帯域幅レベル情報（例えば上述したｂｈｏｐＡまたはｂｈｏｐ）と、測定参照信号が１つのタイムユニットで占有する時間領域シンボル数情報（例えば、ＮＳ）と、測定参照信号のシーケンス繰返しパラメータ（例えば、Ｒ）と、の少なくとも１つのパラメータを含む。第２パラメータセットは、マルチレベル帯域幅構造インデックス（例えば、ＣＳＲＳであり、ただし、ＣＳＲＳは、複数のツリー構造から１つを選択することを表す）と、測定参照信号が１つの時間領域ユニットで占有する帯域幅情報（例えば、ＢＳＲＳ）と、測定参照信号の周波数ホッピング帯域幅レベル情報（例えば上述したｂｈｏｐＡまたはｂｈｏｐ）と、測定参照信号が１つのタイムユニットで占有する時間領域シンボル数情報（例えば、ＮＳ）と、測定参照信号のシーケンス繰返しパラメータ（例えば、Ｒ）と、の少なくとも１つのパラメータを含む。
【０１８１】
１つの実施例において、ＳＲＳの第１パラメータセットと前記所定の制約条件に基づいて複数の第２パラメータ値を得た場合、すなわち複数の第２パラメータ値が前記制約条件を満たす場合、前記複数の第２パラメータ値から合意されたルールに従ってそのうちの１つの第２パラメータ値を選択し、例えば、前記複数の第２パラメータ値から最小値を選択し、または最大値を選択する。
【０１８２】
１つの実施例において、端末と基地局とは、ＳＲＳのパラメータ設定が前記合意された条件を満たすことを合意し、または端末は、前記合意された条件を満たさないＳＲＳパラメータ設定を受信することを望まなく、端末が前記合意された条件を満たさないＳＲＳパラメータ設定を受信した場合、端末は制御情報が間違っていると認識し、または端末はＳＲＳを送信しない。または合意された制約条件を満たさないＳＲＳパラメータ設定を受信した場合、端末は上位層または基地局に所定の指示情報を送信する。
【０１８３】
インスタンス７
本インスタンスにおいて、ＳＲＳの使用可能な循環シフトの総数を説明する。例えば、式（３−１）または（３−２）の
【数１５９】
2021508988.tif 000167
、ＩＦＤＭＡの櫛の総数が４である場合、
【数１６０】
2021508988.tif 000168
であり、ＩＦＤＭＡの櫛の総数が２である場合、
【数１６１】
2021508988.tif 000169
は２４であり、またはＩＦＤＭＡの櫛の総数が２である場合、
【数１６２】
2021508988.tif 000170
は｛８，２４｝に属し、８であるかまたは２４であるかはシグナリング情報または合意されたルールによって得られる。前記ＩＦＤＭＡの櫛の総数は、２δであり、ただし、δは、式（１−０）または（１−１）のＳＲＳの長さ決定パラメータ
【数１６３】
2021508988.tif 000171
における２δである。
【０１８４】
インスタンス８
本インスタンスにおいて、位相トラッキング参照信号（Ｐｈａｓｅ−ｔｒａｃｋｉｎｇ  ｒｅｆｅｒｅｎｃｅ  ｓｉｇｎａｌ、ＰＴＲＳ）とＳＲＳとの間に関連がある。
【０１８５】
１つの実施例において、端末がＳＲＳの時間領域ＯＣＣ有効を受信した場合、またはＳＲＳの時間領域ＯＣＣが所定のセットに属する場合、端末はＰＴＲＳを送信しない。
【０１８６】
または端末が所定の条件（例えば、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）の変調オーダーが所定の値より大きい場合）でＰＴＲＳを送信すると設定された場合、ＳＲＳの時間領域ＯＣＣは、有効にせず、またはＳＲＳの時間領域ＯＣＣは所定のセットに属する。
【０１８７】
上述したインスタンスの技術案を採用することにより、上り測定参照信号ＳＲＳは、時間領域ＯＣＣを採用し、上り測定参照信号のカバレッジに影響せず、同時に１つのセルにおける測定参照信号の容量を増加させることができ、それにＳＲＳがＺＣシーケンスに基づいて伝送する時の一部の周波数領域で重複する２つのＳＲＳによって生じる非直交性の問題を解決することができ、同時に本出願において時間領域ＯＣＣと、ＳＲＳと、時間領域シンボルと、の間の関係の間に関連があるようにした。
【０１８８】
測定参照信号の時間領域ＯＣＣ、循環シフトパラメータまたはポートインデックスを時間とともに変化させ、シグナリング情報を減少させると同時に、セル間干渉を低減させ、セル内の測定参照信号の容量をある程度増加させる。
【０１８９】
測定参照信号の周波数ホッピング帯域幅は、端末が制約条件に基づいて測定参照信号のパラメータ情報を得るように、一定の制約条件を満たす必要がある。
【０１９０】
前記実施形態の説明により、当業者は前記実施例の方法がソフトウェアと一般的なハードウェアプラットフォームの態様で実現でき、当然、ハードウェアのみでも実現できることを明瞭に理解できる。この理解に基づき、本開示の技術案は本質上あるいは関連技術に貢献できる部分はソフトウェア製品の形で具体化でき、該コンピュータソフトウェア製品は、１つの記憶媒体（例えば、読み取り専用メモリ（Ｒｅａｄ−Ｏｎｌｙ  Ｍｅｍｏｒｙ、ＲＯＭ）／ランダムアクセスメモリ（Ｒａｎｄｏｍ  Ａｃｃｅｓｓ  Ｍｅｍｏｒｙ、ＲＡＭ）、磁器ディスク、光ディスク）に記憶され、複数のコマンドを含んで一台の端末機器（携帯電話、コンピュータ、サーバー、あるいはネットワーク機器などであってもよい）に本開示の１つまたは複数の実施例を実行させる。
【０１９１】
インスタンス９
本インスタンスは、
ＢＷＰを決定することと、
前記ＢＷＰのパラメータに基づいて制御チャネルの伝送パラメータ仮定を得ることと、
前記制御チャネルの伝送パラメータ仮定に基づいて、前記測定参照信号のチャネル品質情報を得ることと、を含む、測定参照信号のチャネル品質取得方法を提供する。
【０１９２】
前記ＢＷＰのパラメータまたは前記伝送パラメータは、サブキャリア間隔と、サイクリックプレフィックス（Ｃｙｃｌｉｃ  ｐｒｅｆｉｘ、ＣＰ）長と、１つのキャリア周波数における周波数領域位置と、の少なくとも１つのパラメータを含む。
【０１９３】
１つの実施例において、
前記測定参照信号が占有する周波数領域リソースが所在するＢＷＰに基づき、前記ＢＷＰを決定することと、
前記測定参照信号の設定情報におけるＢＷＰ情報に基づき、前記ＢＷＰを決定することと、
例えば、デフォルトダウンリンクＢＷＰ（ｄｅｆａｕｌｔ  Ｄｏｗｎ  Ｌｉｎｋ  ＢＷＰ）または初期アクティブＢＷＰ（ｉｎｉｔｉａｌ  ａｃｔｉｖｅ  ＢＷＰ）であってもよい、合意されたＢＷＰに基づき、前記ＢＷＰを決定することと、
前記測定参照信号に対応する制御チャネルリソースが所在するＢＷＰに基づき、前記ＢＷＰを決定することと、の１つの方法に基づいてＢＷＰ情報を決定する。
【０１９４】
１つの実施例において、前記測定参照信号は、チャネル状態参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）、復調参照信号（Ｄｅｍｏｄｕｌａｔｉｏｎ  ｒｅｆｅｒｅｎｃｅ  ｓｉｇｎａｌ、ＤＭＲＳ）、同期信号ブロック（Ｓｙｎｃｈｒｏｎｉｚａｔｉｏｎ  ｓｉｇｎａｌｓ  ｂｌｏｃｋ、ＳＳＢ）同期信号と、の少なくとも１つを含む。
【０１９５】
１つの実施例において、例えば、端末は、ＣＳＩ−ＲＳリソースを検出することにより、物理ダウンリンク制御チャネル（Ｐｈｙｓｉｃａｌ  Ｄｏｗｎｌｉｎｋ  ｃｏｎｔｒｏｌ  ｃｈａｎｎｅｌ、ＰＤＣＣＨ）がこのＣＳＩ−ＲＳリソースに対応するビームを採用して伝送する場合の性能を予測および／または検出し、性能が所定の閾値を下回る場合、基地局に所定の情報をレポートする。例えば、ＰＤＣＣＨのブロック誤り率（Ｂｌｏｃｋ  ｅｒｒｏｒ  ｒａｔｉｏ、ＢＬＥＲ）が１０％より高いと予測した場合、ビームリカバリーリクエスト情報を基地局にレポートする。
【０１９６】
予測したＰＤＣＣＨのＢＬＥＲ（仮定（Ｈｙｐｏｔｈｅｔｉｃａｌ）ＰＤＣＣＨ  ＢＬＥＲと呼ばれてもよい）を得るために、ＰＤＣＣＨの伝送パラメータに対して仮定を行い、前記伝送パラメータは、サブキャリア間隔と、ＣＰ長と、１つのキャリア周波数における周波数領域帯域幅と、の少なくとも１つのパラメータを含み、すなわち、前記ＰＤＣＣＨが前記伝送パラメータを採用して伝送する仮定を基礎に予測ＢＬＥＲを得て、ＰＤＣＣＨの伝送パラメータ仮定を得るために、ＢＷＰを先に決定してもよく、前記決定されたＢＷＰのパラメータに基づいてＰＤＣＣＨの伝送パラメータ仮定とする。
【０１９７】
以下の方法の１つに基づいて前記ＢＷＰを取得する。
【０１９８】
前記ＣＳＩ−ＲＳが占有する周波数領域リソースが所在するＢＷＰに基づき、前記ＢＷＰを取得する。
【０１９９】
前記ＣＳＩ−ＲＳの設定情報に設定されたＢＷＰ情報に基づき、前記ＢＷＰを取得する。例えば、ＮＲのＣＳＩ−ＲＳリソース設定（ＣＳＩ−ＲＳ  ｒｅｓｏｕｒｃｅ  ｓｅｔｔｉｎｇ）において１つのＢＷＰ情報を設定することであってもよく、このＢＷＰ情報は、このＣＳＩ−ＲＳ  ｒｅｓｏｕｒｃｅ  ｓｅｔｔｉｎｇに含まれるすべてのＣＳＩ−ＲＳ  ｒｅｓｏｕｒｃｅが所在するＢＷＰを示し、そのうちの１つのＣＳＩ−ＲＳ  ｒｅｓｏｕｒｃｅ  ｓｅｔｔｉｎｇには、１つまたは複数のＣＳＩ−ＲＳリソースセット（ＣＳＩ−ＲＳ  ｒｅｓｏｕｒｃｅ  ｓｅｔ）が含まれ、１つのＣＳＩ−ＲＳ  ｒｅｓｏｕｒｃｅ  ｓｅｔには、１つまたは複数のＣＳＩ−ＲＳリソース（ＣＳＩ−ＲＳ  ｒｅｓｏｕｒｃｅ）が含まれる。
【０２００】
例えば、ＮＲに設定されたｄｅｆａｕｌｔ  ＤＬ  ＢＷＰまたはｉｎｉｔｉａｌ  ａｃｔｉｖｅ  ＢＷＰであってもよい、合意されたＢＷＰに基づき、前記ＢＷＰを取得する。
【０２０１】
前記測定参照信号に対応する制御チャネルリソースが所在するＢＷＰに基づき、前記ＢＷＰを取得する。例えば、ＣＳＩ−ＲＳと制御リソースセット（ｃｏｎｔｒｏｌ  ｒｅｓｏｕｒｃｅ  ｓｅｔ、ＣＯＲＥＳＥＴ）１のＤＭＲＳとの間に準コロケーション（ｑｕａｌ−ｃｏ−ｌｏｃａｔｉｏｎ、ＱＣＬ）関係がある場合、ＣＯＲＥＳＥＴ１が所在するＢＷＰのパラメータから、前記ＰＤＣＣＨの伝送パラメータ仮定を得る。
【０２０２】
前記ＣＰ長は、ＣＰタイプと呼ばれてもよい。
【０２０３】
実施例２
本実施例は、測定参照信号の伝送装置をさらに提供し、該装置は上述した実施例を実現することに設定され、説明したものはここでは繰り返し説明しない。例えば、以下で使用される用語「モジュール」は予め設定した機能を実現できるソフトウェアおよび／またはハードウェアとの組み合わせであっても良い。以下の実施例で説明する装置はソフトウェアで実現してもよいが、ハードウェア、あるいはソフトウェアとハードウェアの組み合わせでの実現も考えられる。
【０２０４】
本開示の１つの実施例によれば、測定参照信号の伝送装置を提供し、図１７に示すように、前記測定参照信号の伝送装置は、
受信したシグナリング情報および合意されたルールの少なくとも１つに基づき、測定参照信号に対応するポート情報を得るように設定される第１取得モジュール１７１０と、
前記測定参照信号に対応する時間領域ＯＣＣインデックスと、前記測定参照信号に対応する時間領域ＯＣＣの長さと、前記測定参照信号のポートインデックスと、の少なくとも１つを含む前記ポート情報に基づいて前記測定参照信号を伝送するように設定される第１伝送モジュール１７２０と、を備える。
【０２０５】
１つの実施例において、上述した伝送は、送信または受信を含む。
上述したステップにより、受信したシグナリング情報および／または合意されたルールに基づき、測定参照信号に対応するポート情報を得て、
前記測定参照信号に対応する時間領域ＯＣＣインデックスと、前記測定参照信号に対応する時間領域ＯＣＣの長さと、前記測定参照信号のポートインデックスと、の少なくとも１つを含む前記ポート情報に基づいて前記測定参照信号を伝送する。上述した技術案を採用することにより、関連技術において、新無線における測定参照信号を決定する技術案が、欠如するという問題を解決し、新無線に適した測定参照信号を決定する技術案を示した。
【０２０６】
１つの実施例において、前記ポート情報は、異なる測定参照信号のポートインデックスは、異なる時間領域ＯＣＣに対応することと、１つの測定参照信号リソースに含まれる測定参照信号ポートは、１つの時間領域ＯＣＣを共有することと、１つの測定参照信号リソースは、１つの時間領域ＯＣＣに対応することと、同じ数のポートを含む２つの測定参照信号リソースに対応する測定参照信号のポートインデックスが異なることと、の少なくとも１つの特徴を含む。
【０２０７】
１つの実施例において、第１取得モジュール１７１０は、前記測定参照信号が所在する測定参照信号リソースのＩＤに基づいて前記ポート情報を得ることと、前記測定参照信号が所在する測定参照信号リソースセットのＩＤに基づいて前記ポート情報を得ることと、前記測定参照信号が所在する測定参照信号リソースセットの設定情報に基づいて前記ポート情報を得ることと、前記測定参照信号を伝送する通信ノードの識別情報（例えば、前記通信ノードが端末である場合、前記端末の識別情報は、Ｃ−ＲＮＴＩであってもよい）に基づいて前記ポート情報を得ることと、復調参照信号を生成するためのパラメータに基づいて前記ポート情報を得ることと、の少なくとも１つに設定され、１つの測定参照信号リソースセットは、１つまたは複数の測定参照信号リソースを含み、１つの測定参照信号リソースは、１つまたは複数の測定参照信号ポートを含む。
【０２０８】
１つの実施例において、第１取得モジュール１７１０は、
前記測定参照信号が所在するタイムユニットに含まれる時間領域シンボルの数Ｎと、正の整数Ｍと、前記測定参照信号が１つのタイムユニットで占有する時間領域シンボルの数Ｌと、前記測定参照信号が所在する時間領域シンボルが１つのタイムユニットに含まれるＮ個の時間領域シンボルにおけるインデックス情報ｌ２と、前記測定参照信号が所在する時間領域シンボルがプリセットのＭ個の時間領域シンボルにおけるインデックス情報ｌ１と、前記測定参照信号が前記Ｌ個の時間領域シンボルにおけるインデックス情報ｌ０と、前記測定参照信号が所在するフレームのフレーム番号と、前記測定参照信号が所在するフレームに含まれるタイムユニットの数Ｂと、前記測定参照信号が所在する帯域幅パートＢＷＰのサブキャリア間隔に基づいて得られたタイムユニットインデックスと、長さＤのランダムシーケンスと、仮想セル番号
【数１６４】
2021508988.tif 000172
と、前記測定参照信号に対応する周波数領域繰返し送信パラメータＲと、測定参照信号に対応するシーケンス繰返しパラメータＲ５と、の少なくとも１つの情報に基づいて前記測定参照信号に対応するポート情報を得るように設定され、
Ｂと、Ｄと、Ｌと、Ｎと、Ｍと、Ｌとはいずれも正の整数であり、
前記Ｍは、Ａ以上且つ前記Ｎ以下であり、前記Ａは、前記測定参照信号が１つのタイムユニットで占有することが許される時間領域シンボルの最大数であり、または、前記測定参照信号が１つのタイムユニットで占有する時間領域シンボルの数である条件を満たし、
前記周波数領域繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、前記Ｒと前記Ｒ５はいずれも正の整数である。
【０２０９】
１つの実施例において、前記インデックス情報
【数１６５】
2021508988.tif 000173
は、式
【数１６６】
2021508988.tif 000174
から得てもよく、ただし、
【数１６７】
2021508988.tif 000175
は、前記測定参照信号が１つのタイムユニットで占有する最初の時間領域シンボルが前記タイムユニットにおけるインデックス情報であり、
【数１６８】
2021508988.tif 000176
は、前記測定参照信号が占有する最初の時間領域シンボルが前記プリセットのＭ個の時間領域シンボルにおけるインデックス情報であり、
【数１６９】
2021508988.tif 000177
は、前記測定参照信号が占有する時間領域シンボルが前記Ｌ個の時間領域シンボルにおけるインデックス情報である。
【０２１０】
１つの実施例において、第１取得モジュール１７１０は、前記測定参照信号のポートインデックスは、受信したシグナリング情報に含まれることと、前記測定参照信号に対応する時間領域ＯＣＣインデックスは、受信したシグナリング情報に含まれることと、前記測定参照信号に対応する時間領域ＯＣＣの長さは、受信したシグナリング情報に含まれることと、前記測定参照信号のポート情報は、前記測定参照信号が所在する測定参照信号リソースセットの設定情報に含まれることと、の少なくとも１つに設定される。
【０２１１】
１つの実施例において、前記時間領域ＯＣＣの長さは、
前記測定参照信号に対応する時間領域ＯＣＣの長さは、前記測定参照信号に対応する周波数領域繰返し送信パラメータＲ以下であることと、
前記測定参照信号に対応する時間領域ＯＣＣの長さは、前記測定参照信号のシーケンス繰返しパラメータＲ５以下であることと、
前記時間領域ＯＣＣの長さは、長さ１を含むことと、
前記時間領域ＯＣＣの長さと、前記測定参照信号のシーケンスパラメータ（１つの実施例において、シーケンスパラメータは、前記シーケンスを生成することに用いられ、例えば前記シーケンスパラメータは、シーケンスグループ番号と、シーケンス番号と、循環シフトと、の少なくとも１つのパラメータを含む）との間に関連がある（１つの実施例において、本明細書で説明された前者と後者は関連があることは、前者に基づいて後者を取得することと、後者に基づいて前者を取得することと、を含んでもよい）ことと、
前記時間領域ＯＣＣの長さと、前記サウンディング参照信号のシーケンスホッピングユニットに含まれる時間領域シンボルの数との間に関連があることと、
前記時間領域ＯＣＣの長さと、前記測定参照信号シーケンスと時間領域シンボルとの間の関係である第１関係との間に関連があることと、の少なくとも１つを含み、
前記周波数領域繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、
前記Ｒと前記Ｒ５はいずれも正の整数である。
【０２１２】
１つの実施例において、前記時間領域ＯＣＣの長さと、前記測定参照信号のシーケンスパラメータとの間に関連があり、
時間領域ＯＣＣの長さが１より大きい場合、１つの測定参照信号ポートがＲ１個の時間領域シンボルにおいて対応するシーケンスは同じであることと、
時間領域ＯＣＣの長さが１より大きい場合、１つの測定参照信号ポートがＲ１個の時間領域シンボルにおいて同じシーケンスグループ番号に対応することと、
時間領域ＯＣＣの長さが１より大きい場合、１つの測定参照信号ポートがＲ１個の時間領域シンボルにおいて同じシーケンス番号に対応することと、
１つの測定参照信号ポートがＲ１時間領域シンボルにおいて対応するシーケンスが異なる場合、前記測定参照信号ポートに対応する時間領域ＯＣＣの長さは１であることと、
１つの測定参照信号ポートがＲ１時間領域シンボルにおいて対応するシーケンスパラメータが異なる場合、前記測定参照信号ポートに対応する時間領域ＯＣＣの長さは１であることと、の少なくとも１つの関連を含み、
前記Ｒ１は、Ｒ１は前記Ｒ以下であることと、前記Ｒ１は前記時間領域ＯＣＣの長さであることと、前記Ｒ１はＮ以下であり、Ｒ１個の時間領域シンボルに前記測定参照信号が含まれることと、の少なくとも１つの特徴を満たし、
Ｎは、１つのタイムユニットにおいて前記１つの測定参照信号ポートに含まれる時間領域シンボルの数であり、前記Ｒ１と前記Ｎは正の整数である。
【０２１３】
１つの実施例において、前記時間領域ＯＣＣのセットと、前記測定参照信号のシーケンスとの間に関連がある。
【０２１４】
１つの実施例において、前記時間領域ＯＣＣのセットと、前記測定参照信号のシーケンスとの間の関連は、異なる時間領域ＯＣＣセットは、異なる前記測定参照信号のシーケンス生成モードに対応することと、異なる前記測定参照信号のシーケンス生成モードは、異なる時間領域ＯＣＣセットに対応することと、の少なくとも１つを含み、前記測定参照信号に対応するシーケンス生成モードは、１つの測定参照信号ポートがＲ１個の時間領域シンボルにおいて対応するシーケンスは同じであることと、１つの測定参照信号ポートがＲ１個の時間領域シンボルにおいて対応するシーケンスは異なることと、１つの測定参照信号ポートがＲ１個の時間領域シンボルにおいて対応するシーケンスパラメータは同じであることと、１つの測定参照信号ポートがＲ１個の時間領域シンボルにおいて対応するシーケンスパラメータは異なることと、同じサブキャリアの前記時間領域ＯＣＣに対応する時間領域シンボルにおいて前記測定参照信号に対応するシンボルは同じであることと、同じサブキャリアの前記時間領域ＯＣＣコードに対応する時間領域シンボルにおいて前記測定参照信号に対応するシンボルは異なることと、の少なくとも１つを含み、
前記シーケンスパラメータは、前記シーケンスを生成することに用いられ、例えば、シーケンスグループ番号と、シーケンス番号と、循環シフトと、のパラメータのうちの１つまたは複数を含み、
前記Ｒ１は正の整数であり、前記Ｒ１は、Ｒ１は前記Ｒ以下であることと、前記Ｒ１は前記時間領域ＯＣＣの長さであることと、前記Ｒ１はＮ以下であり、前記Ｒ１個の時間領域シンボルに前記測定参照信号が含まれることと、の少なくとも１つの特徴を満たし、
Ｎは、１つのタイムユニットにおいて前記１つの測定参照信号ポートに含まれる時間領域シンボルの数であり、
前記周波数領域繰返し送信パラメータＲは、前記測定参照信号がＲ個の時間領域シンボルごとに周波数領域で１回ホッピングすることを表し、前記Ｒ個の時間領域シンボルにはいずれも前記測定参照信号が含まれ、Ｒは正の整数である。１つの実施例において、測定参照信号がＲ個の時間領域シンボルごとに周波数領域で１回ホッピングし、ただし、該Ｒ個の時間領域シンボルは、いずれも測定参照信号を含む時間領域シンボルであり、例えばインデックス１、５、７、１２の時間領域シンボルには測定参照信号が含まれる。該測定参照信号は、３つの時間領域シンボルごとに周波数領域で１回ホッピングすると仮定すると、該測定参照信号は、時間領域シンボル１、２、３の後に周波数領域で１回ホッピングすることではなく、時間領域シンボル１、５、７を経た後に周波数領域で１回ホッピングすることであり、すなわち、前記測定参照信号を含まない時間領域シンボルは、前記Ｒ個の時間領域シンボルに計算されない。
【０２１５】
１つの実施例において、第１伝送モジュール１７２０は、測定参照信号に対応する時間領域ＯＣＣの長さは１より大きく、または前記測定参照信号に対応する時間領域ＯＣＣは所定の時間領域ＯＣＣセットに属さなく、または前記測定参照信号は少なくとも２つの異なる時間領域ＯＣＣに対応する場合、位相トラッキング参照信号（Ｐｈａｓｅ  Ｔｒａｃｋｉｎｇ  Ｒｅｆｅｒｅｎｃｅ  Ｓｉｇｎａｌ、ＰＴＲＳ）と測定参照信号の少なくとも１つの伝送が許されないことと、
測定参照信号の時間領域ＯＣＣの長さと、ＰＴＲＳを送信するか否かとは、関連があることと、
測定参照信号の時間領域ＯＣＣが有効であるか否かと、ＰＴＲＳが存在するか否かとは、関連があることと、
測定参照信号の時間領域ＯＣＣのセットと、ＰＴＲＳが存在するか否かとは、関連があることと、の少なくとも１つに設定される。
【０２１６】
本発明の他の実施例によれば、シグナリング情報の送信装置をさらに提供し、図１８を参照すると、前記シグナリング情報の送信装置は、
シーケンスパラメータと時間領域シンボルとの間の対応関係情報と、時間領域シンボルセットに対応する時間領域ＯＣＣと、の少なくとも１つの情報を含む、シグナリング情報を送信するように設定される第１送信モジュール１８１０を備える。
【０２１７】
１つの実施例において、前記シーケンスパラメータと時間領域シンボルとの間の対応関係情報は、シーケンスパラメータは、Ｒ２個の時間領域シンボルにおいて、変更があるか否かについての情報と、シーケンスは、Ｒ２個の時間領域シンボルにおいて、変更があるか否かについての情報と、シーケンスは、Ｒ３個の時間領域シンボルごとに１回ホッピングすることと、シーケンスパラメータは、Ｒ３個の時間領域シンボルごとに１回ホッピングすることと、の少なくとも１つを含み、前記シーケンスがＲ３個の時間領域シンボルごとに１回ホッピングすることは、前記シーケンスを生成することに用いられるすべてのシーケンスパラメータが少なくとも前記Ｒ３個の時間領域シンボルにおいて変更されないままであることを表す。前記Ｒ２と前記Ｒ３はいずれも整数である。
【０２１８】
１つの実施例において、前記シーケンスパラメータは、前記シーケンスを生成することに用いられ、例えば前記シーケンスパラメータは、シーケンスグループ番号と、シーケンス番号と、循環シフトと、の少なくとも１つのパラメータを含む。例えば、シーケンスグループ番号が４つの時間領域シンボルごとに１回ホッピングし、シーケンス番号と循環シフトが２つの時間領域シンボルごとに１回ホッピングする場合、前記シーケンスは２つの時間領域シンボルごとに１回ホッピングする。もちろん、すべてのシーケンスパラメータの時間領域ホッピングの単位に含まれる時間領域シンボルの数を同じにしても良い。前記シーケンスパラメータは、前記シーケンスを生成することに用いられ、例えば前記シーケンスパラメータは、シーケンスグループ番号、および／または、シーケンス番号を含む。前記Ｒ２個の時間領域シンボルに前記測定参照信号が含まれ、前記Ｒ３個の時間領域シンボルに前記測定参照信号が含まれ、または、前記Ｒ２個の時間領域シンボルに前記測定参照信号を含まない時間領域シンボルが存在してもよく、前記Ｒ３個の時間領域シンボルに前記測定参照信号を含まない時間領域シンボルが存在してもよい。前記シーケンスは、チャネルまたは信号において、時間領域ＯＣＣを乗算する前の送信しようとするシンボルのシーケンスである。前記シンボルは、変調シンボルであってもよく、または参照信号シンボルであってもよい。
【０２１９】
１つの実施例において、前記Ｒ２または前記Ｒ３は、周波数領域繰返し送信パラメータＲ以下であることと、チャネルまたは信号に対応する時間領域ＯＣＣの長さ以下であることと、１つのタイムユニットにおいて前記シグナリング情報に対応するチャネルまたは信号に含まれる時間領域シンボルの数であるＮ以下であることと、の少なくとも１つを含み、前記Ｒ２個の時間領域シンボルにはいずれも前記チャネルまたは前記信号が含まれ、前記Ｒ３個の時間領域シンボルにはいずれも前記チャネルまたは前記信号が含まれ、
前記周波数領域繰返し送信パラメータＲは、前記測定参照信号がＲ個の時間領域シンボルごとに周波数領域で１回ホッピングすることを表し、前記Ｒ個の時間領域シンボルにはいずれも前記測定参照信号が含まれ、前記Ｒは正の整数である。
【０２２０】
１つの実施例において、制御チャネルと、データチャネルと、測定参照信号と、復調参照信号と、の少なくとも１つにおいて、前記シーケンスを伝送（送信または受信を含む）する。
【０２２１】
１つの実施例において、前記シグナリング情報は、時間領域シンボルセットに対応する時間領域ＯＣＣを含む場合、
前記時間領域シンボルセットの時間領域シンボルで伝送するシンボルに、前記時間領域ＯＣＣを乗算してから、前記シグナリング情報に対応するチャネルまたは信号で伝送し、または、
前記時間領域シンボルセット内の複数の時間領域シンボルで伝送するシンボルが同じである場合（１つの実施例において、前記シンボルは、前記チャネルまたは信号において、時間領域ＯＣＣを乗算する前に伝送しようとする情報である）、前記シンボルに、前記時間領域シンボルＯＣＣを乗算してから、前記シグナリング情報に対応するチャネルまたは信号で伝送すること、をさらに含む。
【０２２２】
本発明の他の実施例によれば、シグナリング情報の受信装置をさらに提供し、図１９を参照すると、前記シグナリング情報の受信装置は、
シグナリング情報を受信するように設定される第１受信モジュール１９１０と、
前記シグナリング情報に基づき、シーケンスパラメータと時間領域シンボルとの間の対応関係情報と、時間領域シンボルセットに対応する時間領域ＯＣＣと、の少なくとも１つを決定するように設定される第１決定モジュール１９２０と、を備える。
【０２２３】
１つの実施例において、前記シーケンスと時間領域シンボルとの間の対応関係情報は、シーケンスパラメータは、１つのタイムユニットのＲ２個の時間領域シンボルにおいて、変更があるか否かについての情報と、シーケンスは、１つのタイムユニットのＲ２個の時間領域シンボルにおいて、変更があるか否かについての情報と、シーケンスは、Ｒ３個の時間領域シンボルごとに１回ホッピングすることと、シーケンスパラメータは、Ｒ３個の時間領域シンボルごとに１回ホッピングすることと、の少なくとも１つを含み、前記Ｒ２と前記Ｒ３は整数であり、前記シーケンスパラメータは、シーケンスグループ番号と、シーケンス番号と、の少なくとも１つのパラメータを含む。
【０２２４】
１つの実施例において、Ｒ２および／またはＲ３は、Ｒ以下であることと、チャネルまたは信号に対応する時間領域ＯＣＣの長さ以下であることと、１つのタイムユニットにおいて前記シグナリング情報に対応するチャネルまたは信号に含まれる時間領域シンボルの数であるＮ以下であることと、の少なくとも１つの特徴を満たし、前記周波数領域繰返し送信パラメータＲは前記測定参照信号がＲ個の時間領域シンボルごとに周波数領域で１回ホッピングすることを表し、前記Ｒ個の時間領域シンボルには前記測定参照信号が含まれ、前記Ｒと前記Ｒ５はいずれも正の整数である。
【０２２５】
１つの実施例において、制御チャネルと、データチャネルと、測定参照信号と、復調参照信号と、の少なくとも１つにおいて、前記シーケンスを伝送する。
【０２２６】
１つの実施例において、前記シグナリング情報が時間領域シンボルセットに対応する時間領域ＯＣＣを含む場合は、前記時間領域シンボルセットの時間領域シンボルで伝送するシンボルに、前記時間領域ＯＣＣを乗算してから、前記シグナリング情報に対応するチャネルまたは信号で伝送することと、前記時間領域シンボルセット内の複数の時間領域シンボルで伝送するシンボルが同じである場合、前記シンボルに、前記時間領域シンボルＯＣＣを乗算してから、前記シグナリング情報に対応するチャネルまたは信号で伝送することと、の少なくとも１つの特徴を満たす。
【０２２７】
本開示の他の実施例によれば、測定参照信号の伝送装置をさらに提供し、図２０を参照すると、前記測定参照信号の伝送装置は、
測定参照信号に対応するコードフィールド情報を決定するように設定される第２決定モジュール２０１０と、
決定された前記コードフィールド情報を採用して前記測定参照信号を送信するように設定される第２送信モジュール２０２０と、を備え、
前記コードフィールド情報は、時間領域ＯＣＣインデックスと、シーケンスパラメータと、ポートインデックスと、の少なくとも１つを含み、
前記シーケンスパラメータはシーケンスを生成することに用いられ、前記コードフィールド情報はＦ個の時間領域シンボルごとに１回ホッピングし、前記Ｆは正の整数である。
【０２２８】
１つの実施例において、第２決定モジュール２０１０は、第１情報に基づいて前記測定参照信号のコードフィールド情報を取得するように設定され、前記第１情報は、
前記測定参照信号が所在する測定参照信号リソースのＩＤと、前記測定参照信号が所在するタイムユニットに含まれる時間領域シンボルの数Ｎと、正の整数Ｍと、前記測定参照信号が１つのタイムユニットで占有する時間領域シンボルの数Ｌと、前記測定参照信号が所在する時間領域シンボルが１つのタイムユニットに含まれるＮ個の時間領域シンボルにおけるインデックス情報ｌ２と、前記測定参照信号が所在する時間領域シンボルがプリセットのＭ個の時間領域シンボルにおけるインデックス情報ｌ１と、前記測定参照信号が前記Ｌ個の時間領域シンボルにおけるインデックス情報ｌ０と、前記測定参照信号が所在するフレームのフレーム番号と、前記測定参照信号が所在するフレームに含まれるタイムユニットの数Ｂと、前記測定参照信号が所在する帯域幅パートＢＷＰのサブキャリア間隔に基づいて得られたタイムユニットインデックスと、長さＤのランダムシーケンスと、仮想セル番号
【数１７０】
2021508988.tif 000178
と、前記測定参照信号に対応する周波数領域繰返し送信パラメータＲと、前記測定参照信号に対応するシーケンス繰返しパラメータＲ５と、前記Ｆと、の少なくとも１つの情報を含み、
Ｂと、Ｄと、Ｌと、Ｎと、Ｍと、Ｌとは整数であり、
前記Ｍは、Ａ以上且つ前記Ｎ以下であり、前記Ａは、前記参照信号が１つのタイムユニットで占有することが許される時間領域シンボルの最大数であり、または、前記参照信号が１つのタイムユニットで占有する時間領域シンボルの数である条件を満たし、
前記周波数領域（周波数領域リソースは、周波数領域ＰＲＢ、および／または周波数領域サブキャリアを含む）繰返し送信パラメータＲは、前記測定参照信号がＲ個の時間領域シンボルごとに周波数領域で１回ホッピングすることを表し、前記シーケンス繰返しパラメータＲ５は、前記測定参照信号がＲ５個の時間領域シンボルシーケンスまたはシーケンスパラメータごとに１回ホッピングすることを表し、前記Ｒ個の時間領域シンボルまたは前記Ｒ５個の時間領域シンボルには、前記測定参照信号が含まれ、前記Ｆ個時間領域シンボルには、前記測定参照信号が含まれ、
前記Ｒと前記Ｒ５はいずれも正の整数である。
【０２２９】
１つの実施例において、前記インデックス情報
【数１７１】
2021508988.tif 000179
は、式
【数１７２】
2021508988.tif 000180
から得てもよく、ただし、
【数１７３】
2021508988.tif 000181
は、前記測定参照信号が１つのタイムユニットで占有する最初の時間領域シンボルが前記タイムユニットにおけるインデックス情報であり、
【数１７４】
2021508988.tif 000182
は、前記測定参照信号が占有する最初の時間領域シンボルが前記プリセットのＭ個の時間領域シンボルにおけるインデックス情報であり、
【数１７５】
2021508988.tif 000183
は、前記測定参照信号が占有する時間領域シンボルが前記Ｌ個の時間領域シンボルにおけるインデックス情報である。
【０２３０】
１つの実施例において、前記測定参照信号の時間領域ＯＣＣインデックスまたはポートインデックスは、
【数１７６】
2021508988.tif 000184
と、
【数１７７】
2021508988.tif 000185
と、の１つの式で取得し、
ただし、前記ｇ（Ｘ）はＸに関する関数であり、前記Ｘは前記第１情報を含み、
Ｐｏｒｔｉｎｄｅｘは、前記測定参照信号に対応するポートインデックスを表し、または前記測定参照信号に対応する時間領域ＯＣＣインデックスであり、
Ｔは、時間領域ＯＣＣの長さと、測定参照信号の利用可能な時間領域ＯＣＣの総数と、測定参照信号のポートの総数と、の１つの情報であり、
ｃ（ｚ）は、１つのランダム化されたシーケンスのｚ番目の値を表し、ｚは正の整数であり（１つの実施例において、ｃ（ｚ）は１つのＰＮランダムシーケンスであってもよい）、
【数１７８】
2021508988.tif 000186
は、合意された値であり、または他のパラメータに基づいて合意されたルールに従って得て、例えば、
【数１７９】
2021508988.tif 000187
であり、ただし、
【数１８０】
2021508988.tif 000188
は物理セル番号であり、または受信したシグナリング情報に含まれ、またはｗ０は、受信したシグナリング情報に含まれ、
前記Ｄ１は、１以上の整数であり、
前記Ｆは前記Ｒに等しく、または前記Ｆは前記Ｒ５に等しく、または前記Ｆは前記Ｒと前記Ｒ５のうちの最小値に等しい。
【０２３１】
１つの実施例において、前記測定参照信号に対応するシーケンスパラメータは、前記シーケンスを生成することに用いられ、例えば前記シーケンスパラメータは、シーケンスグループ番号と、シーケンス番号と、循環シフトと、の少なくとも１つのパラメータを含み、前記循環シフト
【数１８１】
2021508988.tif 000189
は、
【数１８２】
2021508988.tif 000190
と、
【数１８３】
2021508988.tif 000191
と、の１つの式で取得し、
前記シーケンスグループ番号ｕは、
【数１８４】
2021508988.tif 000192
と、
【数１８５】
2021508988.tif 000193
と、の１つの式で取得し、
前記シーケンス番号ｖは、
【数１８６】
2021508988.tif 000194
と、
【数１８７】
2021508988.tif 000195
と、の１つの式で取得し、
ただし、前記ｇ（Ｘ）はＸに関する関数であり、前記Ｘは前記第１情報を含み、
【数１８８】
2021508988.tif 000196
は、１つの測定参照信号リソースに含まれる測定参照信号のポート数であり、
【数１８９】
2021508988.tif 000197
は、合意された値であり、または受信したシグナリング情報に含まれ、（
【数１９０】
2021508988.tif 000198
は、測定参照信号の循環シフトに用いられてもよい総数である）
【数１９１】
2021508988.tif 000199
であり、ｃ（ｚ）は、１つのランダム化されたシーケンスのｚ番目の値を表し、ｚは正の整数であり（１つの実施例において、ｃ（ｚ）は１つのＰＮランダムシーケンスであってもよい）、
【数１９２】
2021508988.tif 000200
は、所定の値であり、または
【数１９３】
2021508988.tif 000201
は、受信したシグナリング情報に含まれ、
Ｄ２とＤ３は、１以上の整数であり、
前記Ｃは、シーケンスグループの総数であり、
前記ｆｓｓは、合意されたルールと、受信したシグナリング情報と、の少なくとも１つに含まれるパラメータに基づいて取得したものであり、
前記Ｆは前記Ｒに等しく、または前記Ｒ５に等しく、または前記Ｒと前記Ｒ５のうちの最小値に等しい。
【０２３２】
１つの実施例において、前記ｇ（Ｘ）は、
【数１９４】
2021508988.tif 000202
と、
【数１９５】
2021508988.tif 000203
と、
【数１９６】
2021508988.tif 000204
と、
【数１９７】
2021508988.tif 000205
と、
【数１９８】
2021508988.tif 000206
と、
【数１９９】
2021508988.tif 000207
と、
【数２００】
2021508988.tif 000208
と、
【数２０１】
2021508988.tif 000209
と、
【数２０２】
2021508988.tif 000210
と、
【数２０３】
2021508988.tif 000211
と、
【数２０４】
2021508988.tif 000212
と、
【数２０５】
2021508988.tif 000213
と、の１つの式であり、
ただし、前記
【数２０６】
2021508988.tif 000214
であり、または
【数２０７】
2021508988.tif 000215
であり、前記ｎｆは、前記参照信号が所在するフレームのフレーム番号であり、前記Ｅは、所定の値であり、
前記Ｆは前記Ｒに等しく、または前記Ｆは前記Ｒ５に等しく、または前記Ｆは前記Ｒと前記Ｒ５のうちの最小値に等しい。
【０２３３】
本開示の更なる実施例によれば、測定参照信号の伝送装置をさらに提供し、図２１を参照すると、前記測定参照信号の伝送装置は、
合意された制約条件に基づいて測定参照信号のパラメータを決定するように設定される第３決定モジュール２１１０と、
前記測定参照信号のパラメータを採用し、前記測定参照信号を伝送するように設定される第２伝送モジュール２１２０と、を備える。
【０２３４】
１つの実施例において、第３決定モジュール２１１０は、前記制約条件に基づいて前記測定参照信号の周波数ホッピングパラメータを決定するように設定される。
【０２３５】
１つの実施例において、前記測定参照信号は、物理層動的シグナリングがトリガした測定参照信号であり、非周期的な測定参照信号と呼ばれてもよい。
【０２３６】
１つの実施例において、前記測定参照信号のパラメータは、第１パラメータセットと、前記第１パラメータセットおよび前記制約条件に基づいて決定される第２パラメータセットと、を含む。
【０２３７】
１つの実施例において、前記測定参照信号の伝送方法は、
前記第１パラメータセットは、受信したシグナリング情報に含まれることと、
前記第２パラメータセットは、受信したシグナリング情報に含まれないことと、
前記第２パラメータセットには、前記測定参照信号が１つの時間領域ユニットで占有する帯域幅情報が含まれることと、
前記第１パラメータセットと前記第２パラメータセットとの間のインターセクションは空であることと、前記第１パラメータセットと前記第２パラメータセットのうちの少なくとも１つは、マルチレベル帯域幅構造インデックスと、測定参照信号が１つの時間領域シンボルで占有する帯域幅レベル情報と、測定参照信号の周波数ホッピング帯域幅レベル情報と、測定参照信号が１つのタイムユニットで占有する時間領域シンボル数情報と、測定参照信号の１つのタイムユニットでの繰返し送信パラメータと、測定参照信号のシーケンス繰返しパラメータと、の少なくとも１つを含むことと、の少なくとも１つの特徴を満たす。
【０２３８】
１つの実施例において、前記制約条件は、
前記測定参照信号が１つのタイムユニットで占有する周波数領域リソースは連続的であることと（「連続的」は、測定参照信号が占有する周波数領域リソースの和集合において、前記測定参照信号が占有するＰＲＢは連続的であり、非連続的なＰＲＢは存在しないことを示す）、
前記測定参照信号が１つのタイムユニットで占有する周波数領域サブキャリアは、前記測定参照信号が１つのタイムユニットで占有する周波数領域リソースにおいて均等に分散されることと、
前記測定参照信号が１つのタイムユニットで占有する周波数領域リソースは１つの周波数ホッピング帯域幅であることと、
前記測定参照信号が１つのタイムユニットで占有する周波数領域リソースは１つのＢＷＰであることと、
前記測定参照信号が１つのタイムユニットで占有する周波数領域リソースはマルチレベル帯域幅構造における最大帯域幅であることと、
前記測定参照信号の周波数ホッピング帯域幅レベルは、合意された値であることと、
前記測定参照信号のパラメータは、
【数２０８】
2021508988.tif 000216
の式を満たすことと、
前記測定参照信号のパラメータは、
【数２０９】
2021508988.tif 000217
の式を満たすことと、の少なくとも１つの条件であり、
ｂは、マルチレベル帯域幅構造における帯域幅レベル情報であり、ｂｈｏｐＡは、周波数ホッピング帯域幅レベルセットであり、Ｎｓは、前記測定参照信号が１つのタイムユニットで占有する時間領域シンボルの数であり、Ｒは、前記測定参照信号の繰返し送信パラメータであり、前記マルチレベル帯域幅構造には、複数の帯域幅レベルが含まれ、第ｂ−１レベル帯域幅の１つの帯域幅は、第ｂレベル帯域幅のＮｂ個の帯域幅を含み、前記測定参照信号が１つの周波数ホッピング帯域幅レベルにおいて占有する帯域幅のインデックスは、時間とともに変化し、前記ｂｈｏｐとＢＳＲＳのうちの少なくとも１つは、所定の値であり、または、前記ｂｈｏｐとＢＳＲＳのうちの少なくとも１つは、受信したシグナリング情報に含まれ、ｂｈｏｐとＢＳＲＳは、いずれも０以上の整数である。
【０２３９】
１つの実施例において、前記周波数ホッピング帯域幅レベルセットが
【数２１０】
2021508988.tif 000218
である場合、前記制限条件は、
前記測定参照信号のパラメータは、
【数２１１】
2021508988.tif 000219
の式を満たすことであり、
ｂｈｏｐは、所定の値であり、またはｂｈｏｐは、受信したシグナリング情報に含まれる。
【０２４０】
１つの実施例において、第１通信ノードが前記測定参照信号を伝送する通信ノードである場合、前記測定参照信号のパラメータを採用し、前記測定参照信号を伝送する前に、前記測定参照信号の伝送方法は、
第１通信ノードは、前記合意された条件を満たさない測定参照信号のパラメータ設定を受信することを望まない（ｎｏｔ  ｅｘｐｅｃｔｅｄ）（１つの実施例において、「望まない」は３ＧＰＰ標準における技術用語である）ことと、
第１通信ノードが前記合意された条件を満たさない測定参照信号のパラメータ設定を受信した場合、前記第１通信ノードは前記測定参照信号を伝送しないことと、
第１通信ノードが前記合意された条件を満たさない測定参照信号のパラメータ設定を受信した場合、前記第１通信ノードは所定の指示情報を送信することと（ここでは、前記第１通信ノードの上位層、または前記測定参照信号の伝送の対向側である第２通信ノードに前記所定の指示情報を送信してもよい）、の少なくとも１つをさらに含み、
前記第１通信ノードは、前記測定参照信号を伝送する通信ノードである。
【０２４１】
本開示の更なる実施例によれば、上り参照信号伝送装置をさらに提供し、前記上り参照信号伝送装置は、
上り参照信号を伝送するように設定される第３伝送モジュールと、を備え、
前記上り参照信号が時間領域直交カバーコードＯＣＣを採用する場合、前記上り参照信号は、
前記上り参照信号に対応する時間領域ＯＣＣの長さは、前記上り参照信号に対応する周波数領域繰返し送信パラメータＲ以下であり、前記周波数領域繰返し送信パラメータＲは、前記上り参照信号の周波数領域ホッピングの単位に含まれる時間領域シンボルの数であることと、
前記上り参照信号に対応する時間領域ＯＣＣの長さは、前記上り参照信号のシーケンス繰返しパラメータＲ５以下であることと、
前記時間領域ＯＣＣの長さと、前記上り参照信号のシーケンスパラメータとの間に関連があることと、の少なくとも１つを満たし、
前記Ｒと前記Ｒ５はいずれも正の整数である。
【０２４２】
１つの実施例において、前記時間領域ＯＣＣの長さと、前記上り参照信号のシーケンスパラメータとの間に関連があり、
前記時間領域ＯＣＣの長さが１より大きい場合、１つの上り参照信号ポートが１つのタイムユニットで占有するＲ１個の時間領域シンボルにおいて対応するシーケンスは同じであることと、
１つの上り参照信号ポートが１つのタイムユニットで占有するＲ１時間領域シンボルにおいて対応するシーケンスが異なる場合、前記上り参照信号ポートに対応する時間領域ＯＣＣの長さは１であることと、の少なくとも１つを含み、
前記Ｒ１は、前記Ｒ１は前記Ｒ以下であることと、前記Ｒ１は前記時間領域ＯＣＣの長さであることと、前記Ｒ１はＮ以下であり、前記Ｎは前記１つの上り参照信号ポートが１つのタイムユニットで占有する時間領域シンボルの数であることと、の少なくとも１つの特徴を満たす。
【０２４３】
１つの実施例において、上述した１つまたは複数のモジュールはソフトウェアまたはハードウェアで実現できる。後者の場合は、以下の態様で実現できるが、それに限定されない。前記モジュールはすべて同じプロセッサに位置するか、あるいは、前記各モジュールは任意組み合わせの形で異なるプロセッサに位置する。
【０２４４】
実施例３
本開示の更なる実施例によれば、作動されると、本開示のいずれかの実施例に記載の測定参照信号の伝送方法、シグナリング情報の送信方法、シグナリング情報の受信方法、または上り参照信号の伝送方法を実行するように設定されるコンピュータプログラムが記憶されている記憶媒体をさらに提供する。
【０２４５】
本実施例において、前記コンピュータの記憶媒体は、ユニバーサルシリアルバスフラッシュディスク（Ｕｎｉｖｅｒｓａｌ  Ｓｅｒｉａｌ  Ｂｕｓ  ｆｌａｓｈ  ｄｉｓｋ、ＵＳＢディスク）、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、可搬型ディスク、磁気ディスクあるいは光ディスクなどプログラムコードを記憶できる１つまたは複数の媒体を含んでもよいが、それに限定されない。
【０２４６】
実施例４
本開示の更なる実施例によれば、コンピュータプログラムが記憶されているメモリと、前記コンピュータプログラムを作動させることによって本開示のいずれかの実施例に記載の測定参照信号の伝送方法、シグナリング情報の送信方法、シグナリング情報の受信方法、または上り参照信号の伝送方法を実行するように設定されるプロセッサと、を備える電子装置をさらに提供する。
【０２４７】
１つの実施例において、上述した電子装置は、上述したプロセッサと接続する伝送デバイスと、上述したプロセッサと接続する入出力デバイスと、をさらに含んでもよい。
【０２４８】
１つの実施例において、本実施例における例は上述した実施例と好ましい実施形態において説明した例を参考できるため、ここでは繰り返し説明しない。
【０２４９】
１つの実施例において、本実施例における例は上述した実施例と好ましい実施形態において説明した例を参考できるため、ここでは繰り返し説明しない。
【０２５０】
本出願において、前記シンボルは、変調シンボルであり、または参照信号シンボルであり、または前記時間領域ＯＣＣを乗算する前のシンボルである。
【０２５１】
当業者であれば理解できるが、前記本開示の１つまたは複数のモジュールと１つまたは複数のステップは、汎用的な計算装置で実現可能であり、１つの計算装置に集中してもよいか、あるいは、複数の計算装置からなるネットワークに分布してもよく、１つの実施例において、計算装置における実行可能なプログラムコードで実現可能であるため、メモリ装置に記憶されて計算装置により実行してもよく、且ついくつかの状況では、ここで示すかまたは説明したステップとは異なる順序で実行してもよく、あるいは、それぞれ１つまたは複数の集積回路のモジュールにし、あるいは、それらの複数のモジュールまたはステップを単体の集積回路のモジュールにして実現する。本開示は特定のハードウェアとソフトウェアの組み合わせに制限されない。
【図１】
2021508988.tif 000256
【図２】
2021508988.tif 000257
【図３】
2021508988.tif 000258
【図４】
2021508988.tif 000259
【図５】
2021508988.tif 000260
【図６】
2021508988.tif 000261
【図７】
2021508988.tif 000262
【図８】
2021508988.tif 000263
【図９】
2021508988.tif 000264
【図１０】
2021508988.tif 000265
【図１１】
2021508988.tif 000266
【図１２】
2021508988.tif 000267
【図１３】
2021508988.tif 000268
【図１４】
2021508988.tif 000269
【図１５ａ】
2021508988.tif 000270
【図１５ｂ】
2021508988.tif 000271
【図１６ａ】
2021508988.tif 000272
【図１６ｂ】
2021508988.tif 000273
【図１７】
2021508988.tif 000274
【図１８】
2021508988.tif 000275
【図１９】
2021508988.tif 000276
【図２０】
2021508988.tif 000277
【図２１】
2021508988.tif 000278
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
シーケンスパラメータと時間領域シンボルとの間の対応関係情報を含むシグナリング情報を送信すること、を含む、シグナリング情報の送信方法。
【請求項２】
前記シーケンスパラメータと時間領域シンボルとの間の対応関係情報は、
シーケンスパラメータは、Ｒ２個の時間領域シンボルにおいて、変更があるか否かについての情報と、シーケンスパラメータは、Ｒ３個の時間領域シンボルごとに１回ホッピングすることを含み、
前記Ｒ２と前記Ｒ３は整数である、請求項１に記載のシグナリング情報の送信方法。
【請求項３】
前記Ｒ２または前記Ｒ３は、
チャネルまたは信号に対応する時間領域ＯＣＣの長さ以下であることと、１つのタイムユニットにおいて前記シグナリング情報に対応するチャネルまたは信号に含まれる時間領域シンボルの数であるＮ以下であることと、
を含む、請求項２に記載のシグナリング情報の送信方法。
【請求項４】
前記１つのタイムユニットは、１つのタイムスロットである、請求項３に記載のシグナリング情報の送信方法。
【請求項５】
前記シーケンスパラメータは、シーケンスグループ番号及びシーケンス番号の少なくとも１つを含む、請求項１〜４のいずれか１項に記載のシグナリング情報の送信方法。
【請求項６】
シグナリング情報を受信することと、
前記シグナリング情報に基づき、シーケンスパラメータと時間領域シンボルとの間の対応関係情報を決定することと、を含む、シグナリング情報の受信方法。
【請求項７】
前記シーケンスパラメータと時間領域シンボルとの間の対応関係情報は、
シーケンスパラメータは、Ｒ２個の時間領域シンボルにおいて、変更があるか否かについての情報と、
シーケンスパラメータは、Ｒ３個の時間領域シンボルごとに１回ホッピングすることを含み、
前記Ｒ２と前記Ｒ３は整数である、請求項６に記載のシグナリング情報の受信方法。
【請求項８】
前記Ｒ２または前記Ｒ３は、
チャネルまたは信号に対応する時間領域ＯＣＣの長さ以下であることと、
１つのタイムユニットにおいて前記シグナリング情報に対応するチャネルまたは信号に含まれる時間領域シンボルの数であるＮ以下であることと、
を含む、請求項７に記載のシグナリング情報の受信方法。
【請求項９】
前記１つのタイムユニットは、１つのタイムスロットである、請求項８に記載のシグナリング情報の受信方法。
【請求項１０】
前記シーケンスパラメータは、シーケンスグループ番号及びシーケンス番号の少なくとも１つを含む、請求項６〜９のいずれか１項に記載のシグナリング情報の受信方法。
【請求項１１】
ＢＷＰを確定することと、
前記ＢＷＰのパラメータによって制御チャネルの伝送パラメータ仮定を得ることと、
前記制御チャネルの伝送パラメータ仮定によって測定参照信号のチャネル品質情報を得ることとをさらに含み、
前記ＢＷＰのパラメータ及び前記伝送パラメータは、サブキャリア間隔を含む、請求項６に記載のシグナリング情報の受信方法。
【請求項１２】
前記ＢＷＰを確定することは、
前記測定参照信号が所在するＢＷＰによって前記ＢＷＰを確定することと、
約束したＢＷＰによって前記ＢＷＰを確定することと、の１つにより行う、請求項１１に記載のシグナリング情報の受信方法。
【請求項１３】
前記測定参照信号のチャネル品質情報は、前記測定参照信号に対応する物理ダウンリンク制御チャネルのＢＬＥＲ情報を含む、請求項１１に記載のシグナリング情報の受信方法。
【請求項１４】
シーケンスパラメータと時間領域シンボルとの間の対応関係情報を含むシグナリング情報を送信するように設定される送信モジュールを備える、シグナリング情報の送信装置。
【請求項１５】
シグナリング情報を受信するように設定される受信モジュールと、
前記シグナリング情報に基づき、シーケンスパラメータと時間領域シンボルとの間の対応関係情報を決定するように設定される決定モジュールと、を備える、シグナリング情報の受信装置。
【国際調査報告】
2021508988.tif 000279
2021508988.tif 000280
2021508988.tif 000281
2021508988.tif 000282
2021508988.tif 000283
2021508988.tif 000284